(57)【要約】プリフォーマットデータを高密度で記録可能な光ディスクを提供する。本発明の光ディスクは、螺旋状もしくは同心円状に配置された１つ又は複数のトラックを有し、前記トラックが、制御用の第１のプリピット領域又は溝部と溝間部を有し、且つプリフォーマットデータを記録するプリフォーマット記録領域を有する。前記プリフォーマットデータ記録領域は、プリピット以外の方法により形成されたプリフォーマットデータが記録されている。より具体的には、プリフォーマットデータは、レーザー光を照射することで記録膜を変質させて磁気異方性を小さくすることによって記録される。
2002039434.tif 000002
【特許請求の範囲】
【請求項１】
螺旋状もしくは同心円上に配置された１つ又は複数のトラックを有し、
前記トラックが、制御用の第１のプリピット領域又は溝部又は溝間部を有し、且つプリフォーマットデータを記録するプリフォーマットデータ記録領域を有し、
前記プリフォーマットデータ記録領域は、プリピット以外の方法により形成されたプリフォーマットデータを有する、
ことを特徴とする光ディスク。
【請求項２】
前記トラックが複数の領域に分割されたセグメントを有し、
前記セグメントが前記第１のプリビット領域と、プリフォーマットデータの記録を行うプリフォーマットデータ記録領域とを有し、
前記第１のプリピット領域は、前記トラックの長手方向から左右に変移し、かつ長手方向に異なる位置に配置された１対のウォブルピットを有する、
ことを特徴とする請求項１に記載の光ディスク。
【請求項３】
前記プリフォーマットデータ領域が、制御用のプリピット以外のプリピットにより形成されたプリフォーマットデータを記録する第２のプリピット領域と、プリピット以外の方法により形成されたプリフォーマットデータを記録する領域とを含み、且つプリフォーマットデータ領域の長手方向に少なくとも１個の前記第２のプリピット領域が前記プリピット以外の方法により形成されたプリフォーマットデータを記録する領域と隣接していることを特徴とする請求項１に記載の光ディスク。
【請求項４】
前記プリピット以外の方法により形成されたプリフォーマットデータが、記録膜が通常の磁気異方性を有する部分と、記録膜が通常よりも小さな磁気異方性を有する部分とで形成されたプリフォーマットデータであることを特徴とする請求項１に記載の光ディスク。
【請求項５】
他の前記セグメントが第３のプリビット領域とデータを書き込むためのデータ記録領域とを更に有し、前記第３のプリピット領域は前記第１のプリピット領域と同一の構造を有することを特徴とする請求項２に記載の光ディスク。
【請求項６】
隣接する前記第２のプリピット領域に挟まれた領域の中の少なくとも２個の領域が異なる長さを有し、少なくとも最も長い長さを有する隣接する前記第２のプリピット領域に挟まれた領域に、前記プリピット以外の方法により形成されたプリフォーマットデータを記録する領域が設けられていることを特徴とする請求項３に記載の光ディスク。
【請求項７】
前記プリフォーマットデータ領域が、プリピットにより形成されたプリフォーマットデータ及びプリピット以外の方法により形成されたプリフォーマットデータを有し、
前記プリピットにより形成されたプリフォーマットデータを有する領域の少なくとも一部が前記プリピット以外の方法により形成されたプリフォーマットデータを有する領域と重なっていることを特徴とする請求項１に記載の光ディスク。
【請求項８】
前記プリピット以外の方法により形成されたプリフォーマットデータが、前記プリピットにより形成されたデータを有する領域の中のプリピットが設けられていない部分に記録されていることを特徴とする請求項３又は請求項４に記載の光ディスク。
【請求項９】
前記プリピットにより形成されたプリフォーマットデータのマーク長が前記プリピット以外の方法により形成されたプリフォーマットデータのマーク長と異なる長さを有することを特徴とする請求項３又は請求項４に記載の光ディスク。
【請求項１０】
前記プリフォーマットデータ領域が、光ディスクの内周側又は外周側の少なくとも一方の近傍に設けられており、且つ少なくとも光ディスクの１周以上の長さを有することを特徴とする請求項１に記載の光ディスク。
【請求項１１】
前記プリピット以外の方法により形成されたプリフォーマットデータが光ディスク固有の情報を含むことを特徴とする請求項１に記載の光ディスク。
【請求項１２】
前記プリピット以外の方法により形成されたプリフォーマットデータを記録する領域が、通常のデータ記録領域の記録膜よりも小さな磁気異方性を有する記録膜のみからなることを特徴とする請求項１に記載の光ディスク。
【請求項１３】
前記プリピット以外の方法により形成されたプリフォーマットデータがフェイズエンコーディングによるデータであることを特徴とする請求項３に記載の光ディスク。
【請求項１４】
前記プリピットにより形成されたプリフォーマットデータが位相変調方式のデータであることを特徴とする請求項３に記載の光ディスク。
【請求項１５】
螺旋状もしくは同心円上に配置された１つ又は複数のトラックを有する光ディスクの記録装置であって、
前記光ディスクに設けられたウォブルピット又は溝又は溝間部にレーザ光を照射してその反射光量に基づいて光ピックアップの位相制御又はトラッキング制御を行う制御部と、
前記制御部により光ピックアップの位相制御又はトラッキング制御を行いながら、レーザー光を照射することによって、光を反射し且つ磁気異方性が通常よりも小さくなる程度に光ディスクの記録膜を変質させて情報を前記トラックに記録する記録部と、
を有することを特徴とする光ディスクの記録装置。
【請求項１６】
記録膜を変質させる前記レーザ光の強度が、記録膜を６８０度Ｃ以上で１３００度Ｃ以下の温度にする強度であることを特徴とする請求項１５に記載の光ディスクの記録装置。
【請求項１７】
制御用のプリピット又は溝を有する光ディスク基板を生成する光ディスク基板生成ステップと、
前記光ディスク基板上に記録膜を生成する記録膜生成ステップと、
前記光ディスクに設けられたウォブルピット、溝又は溝間部にレーザ光を照射してその反射光量に基づいて光ピックアップの位相制御又はトラッキング制御を行いながら、レーザー光を照射することによって、光を反射し且つ磁気異方性が通常よりも小さくなる程度に光ディスクの記録膜を変質させて情報を記録する記録ステップと、
を有することを特徴とする光ディスクの生産方法。
【請求項１８】
記録膜を変質させる前記レーザ光の強度が、記録膜を６８０度Ｃ以上で１３００度Ｃ以下の温度にする強度であることを特徴とする請求項１７に記載の光ディスクの生産方法。
【請求項１９】
前記記録ステップにより、光ディスク固有の情報を記録することを特徴とする請求項１７に記載の光ディスクの生産方法。
【請求項２０】
前記光ディスク基板生成ステップにおいて、プリピットによるデータを更に記録することを特徴とする請求項１７に記載の光ディスクの生産方法。
【請求項２１】
光ディスクの反射光を２個の互いに異なる偏光面の光成分に分離するスプリッタと、
前記２個の互いに異なる偏光面の光成分を検出し、２個の検出信号を出力する偏光光成分検出部と、
前記２個の検出信号を入力し、差分を出力する差分検出部と、
前記２個の検出信号の加算信号のレベルが一定以上の条件で又はプリピットの再生信号に基づいて生成したウインドウ信号の期間内の条件で、一定の閾値に基づいて前記差分の絶対値を２値化する２値化器と、
を有することを特徴とする光ディスクの再生装置。
【請求項２２】
前記２個の検出信号の加算信号を出力する光量検出部を更に有することを特徴とする請求項２１に記載の光ディスクの再生装置。
【請求項２３】
前記加算信号の出力レベルが一定の値以上であることに基づくウインドウ信号を生成するウインドウ信号生成部と、
前記ウインドウ信号を用いて有効な差分を選択する選択部と、
を有することを特徴とする請求項２２に記載の光ディスクの再生装置。
【請求項２４】
前記２値化器の出力信号を入力し、デコードするフェイズエンコーディング方式のデコーダを更に有することを特徴とする請求項２１に記載の光ディスクの再生装置。
【請求項２５】
光ディスクの特定の領域からの反射光に基づく前記２値化器の出力信号が全て前記一定の閾値以下であれば、コピーガードを解除するコピーガード部を更に有することを特徴とする請求項２１に記載の光ディスクの再生装置。
【請求項２６】
前記加算信号に基づいて光ピップアップの位相制御又はトラッキング制御を行う制御部を更に有し、前記制御部により光ピップアップの制御を行いながら、前記２値化器がデータを出力することを特徴とする請求項２１に記載の光ディスクの再生装置。
【請求項２７】
光ディスクの反射光を２個の互いに異なる偏光面の光成分に分離し、それぞれの光成分を検出するスプリットステップと、
検出した前記２個の光成分の差分を出力する差分検出ステップと、
前記２個の検出信号の加算信号のレベルが一定以上の条件で又はプリピットの再生信号に基づいて生成したウインドウ信号の期間内の条件で、一定の閾値に基づいて前記差分の絶対値を２値化する２値化ステップと、
を有することを特徴とする光ディスクの再生方法。
【請求項２８】
光ディスクの特定の領域からの反射光に基づく前記２値化ステップにおける出力信号が全て前記一定の閾値以下であれば、コピーガードを解除するステップを更に含むことを特徴とする請求項２７に記載の光ディスクの再生方法。
【請求項２９】
光ディスクに一定のデータを書き込む書き込みステップを更に有し、
前記スプリットステップにおいて、前記書き込みステップによりデータを書き込んだ部分からの反射光を受光し、２個の互いに異なる偏光面の光成分に分離し、それぞれの光成分を検出することを特徴とする請求項２７に記載の光ディスクの再生方法。
【請求項３０】
前記２個の検出信号の加算信号を出力する光量検出ステップを更に有することを特徴とする請求項２７に記載の光ディスクの再生方法。
【請求項３１】
前記加算信号の出力レベルが一定の値以上であることに基づくウインドウ信号を生成するウインドウ信号生成ステップと、
前記ウインドウ信号を用いて有効な差分を選択する選択ステップと、
を有することを特徴とする請求項３０に記載の光ディスクの再生方法。
【請求項３２】
前記加算信号に基づいて光ピックアップの位相制御又はトラッキング制御を行うトラッキング制御ステップを更に有し、
前記トラッキング制御ステップにより光ピックアップの位相制御又はトラッキング制御を行いながら、前記２値化ステップによりデータを出力することを特徴とする請求項２７に記載の光ディスクの再生方法。
【発明の詳細な説明】
技術分野
本発明は、光ディスク、光ディスクの記録装置、光ディスクの再生装置、光ディスクの再生方法及び光ディスクの生産方法に関する。
背景技術
近年、光学的に情報を記録再生し得る媒体として、光ディスク、光カードが提案、開発されている。その中でも光ディスクは、大容量且つ高密度に情報を再生又は記録再生出来る媒体として注目されている。
記録再生可能な光ディスクとしては、光磁気（ＭＯ）ディスク又は相変化ディスクが一般に知られている。これらの光ディスクにおいては、同心円状又は渦巻状に形成されたトラックをレーザビームで走査して各種データの記録再生を行う。
しかし、光ディスクは大容量のデジタルデータ（例えばデジタル映像信号等）を高速で記録再生できる故に、著作権保護の観点からデータの不正コピーを防止する必要が生じている。
そこで、光ディスクによる不正コピーを防止する手段として、光ディスク１枚毎にその固有情報（光ディスク１枚毎に異なるデータ）を製造時に書き込むことが行われている。当該固有情報に基づき光ディスクの出所を特定できる。
これにより、情報の不正コピーを禁止し、著作権の保護を図ることが出来る。
又、他の目的、例えば製造管理等の観点から、例えば光ディスク１枚毎に生産ロット番号、生産年月日等を書き込むことも行われている。
上記の固有情報、生産ロット番号等は、市場で流通している一般の光ディスク記録再生装置によっては書き換えが出来ないものでなければならない。書き換え可能であれば、例えば固有情報によっては光ディスクが合法的に記録されたものか不正にコピーされたものか判断できず、当該固有情報は不正コピーの防止に役立たなくなるからである。
特開平１１−１６２０３１号公報に、従来例の光ディスクが記載されている。従来例の光ディスクは、光ディスクの内周にバーコード状の幅広いプリフォーマットデータ領域を有する。
図１４（ｆ）に従来の記録再生の可能な光ディスク（例えばＤＶＤ−ＲＡＭディスク、光磁気ディスク）の全体構成を示す。
図１４の従来の光ディスクは、光磁気ディスクである。
従来の光ディスク１４０１は、リードイン領域とデータの記録再生が可能な記録再生データ領域１４０５とを有する。ＤＶＤ−ＲＡＭディスクでは、そのリードイン領域は、第１の読取専用データ領域１４０３、第２の読取専用データ領域１４０２及び学習用領域１４０４を含む。例えばＤＶＤ−ＲＡＭディスクにおいては、第２の読取専用データ領域１４０２はＢＣＡ（Ｂｕｒｓｔ　Ｃｕｔｔｉｎｇ　Ａｒｅａ）と呼ばれる。
ＭＯディスクでは、そのリードイン領域は第１の読取専用領域のみ有している。
第１の読取専用データ領域１４０３は、プリピットで形成されたデータを有する。プリピットは光ディスクの原盤をレーザカッティングして形成される故に、当該データは１個の光ディスクの原盤から生成される全ての光ディスクに共通のデータである。例えば、光ディスクの原盤の番号、当該光ディスクに記録されたデータを読み取るための最適のレーザ光の強度の値等のデータである。
第２の読取専用データ領域１４０２は、強いレーザ光（例えばＹＡＧレーザ）によって記録膜の反射膜を破壊して形成されたデータを有する。当該データは光ディスク１枚毎に強いレーザ光を照射して書き込む故に、当該データは光ディスク１枚毎の固有のデータ、例えば光ディスクの製造シリアル番号、製造ロット番号、コピー防止用の暗号データ等である。
第１の読取専用データ領域１４０３及び第２の読取専用データ領域１４０２に記録されるデータは、光ディスクの製造シリアル番号等のデータの性質故に市場で改竄できないものでなければならない。
第１の読取専用データ領域１４０３に記録されるデータは、光ディスクを製造するディスクメーカーが記録するデータであり、第２の読取専用データ領域１４０２に記録されるデータは、光ディスクを製造するディスクメーカー又はコンテンツを記録するダビングメーカーが記録するデータである。
又、原盤作成時にプリピットを設けておけば、スタンピングにより第１の読取専用データ領域１４０３に記録されるデータは自動的に光ディスク上に記録される故に、当該データを記録するための特別なコストが不要である。一方、第２の読取専用データ領域１４０２に記録されるデータはレーザを光ディスク１枚ごとに照射して記録される故に、当該データを記録するのに大きなコストが必要である。
上記の２つの理由により、ＤＶＤ−ＲＡＭ等の従来の光ディスクは２つの別個の読取専用データ領域を有している。
学習用領域１４０４は、光ディスク装置に光ディスクをセットした時に、当該領域にレーザ光を照射して記録時又は再生時のレーザ光の強度を調整したり学習したりするための領域である。
記録再生データ領域１４０５は、通常のデータを記録し又は再生する領域である。
図１４（ｇ）はサンプルサーボ方式でトラッキングを行い、またアドレスデータの入れ方を分散アドレス方式とした光ディスクの場合の第１の読取専用データ領域の構成を示す。
光ディスク１４０１の内周に形成されている第１の読取専用データ領域１４０３は、複数のセグメントに分割されている。
各セグメントは、１個のクロック、サーボ及びアドレス領域１４１１と１個のデータ領域１４１２とを含む。
図１４（ｈ）は、クロック、サーボ及びアドレス領域１４１１とデータ領域１４１２との構成を示す。
クロック、サーボ及びアドレス領域１４１１は、４個（又は３個）のプリピット１４１３、１４１４、１４１５、１４１６で構成されている。
スタートピット１４１３は、各セグメントの最初に位置しており、各セグメントの始点の検出及び他のピット（ウォブルピット１４１４等）の読み取りタイミングの生成に使用される。
ウォブルピット１４１４、１４１５はサンプリング・サーボ用のピットである。ウォブルピット１４１４、１４１５は第１の読取専用データ領域１４０３のトラックの中心から左右に偏移して配置されている。当該光ディスクを記録又は再生する光ディスク装置は、ウォブルピット１４１４、１４１５からの反射光がバランスするようにトラッキングを制御することにより、光ピックアップをトラックの中心上に位置させることが出来る。
アドレスピット１４１６は、各セグメント１個（又は０個）設けられており、セグメント番号及びトラック番号を示す。アドレスピット１４１６の位置にプリピットが存在すればデータは０であり、プリピットが存在しなければデータは１である。
図１４の従来例の光ディスクのアドレスは、本発明の発明者によって発明された分散アドレスフォーマット（特願平１１−０２１８８５、特願平１１−３２９２６５に記載）に対応している。詳細は後述する。
データ領域１４１２は、フェイズエンコーディング方式によりエンコードされたデータ（バイフェイズマークと言う。）を有する。
フェイズエンコーディング方式によりエンコードされたデータは、短い長さ（１ビットデータの記録領域の長さをＡとする、Ａ／２の長さ）のピット１４１９、短い長さのピットでない部分１４１８、長い長さ（Ａの長さ）のピット１４１７及び長い長さのピットでない部分１４２０を有する。
フェイズエンコーディング方式については後述する。
第２の読取専用領域は第１の読取専用データ領域の内周側に配置され、図１４（ｃ）に示したようにバーコードと同様のストライプ状のマークが記録されている。マークの記録方式はフェイズエンコード方式がとられている。
ストライプの半径方向の幅は２ｍｍ程度である。データは最大１８８バイトのデータがディスクの回転方向に書かれており、その長さはディスクの１周を超えない長さになっている。
図１４（ａ）に示すように、第２の読取専用データ領域はプリアンブルフィールド１４２１、データフイールド１４２２、及びポストアンブルデータフィールド１４２３から構成されている。
図１４（ｂ）に示すように、プリアンブルフィールド１４２１には１バイト長のシンクバイト１４２４と４バイト長のプリアンブル１４２５とが記録されており、データフィールド１４２２には１バイト長のリシンク１４２６と４バイトのデータ１４２７とが繰り返し記録されており、ポストアンブルデータフィールド１４２３にはリシンク１４２６とポストアンブル１４２８とが記録されている。
第２の読み取り専用領域は、ＹＡＧレーザを照射して記録膜を破壊した部分と正常な部分（ＹＡＧレーザを照射しない部分）とを有する。例えば、ＤＶＤディスクではこのデータ領域をバースト・カッティング・エリア（以降「ＢＣＡ」と言う。）と言っている。
第２の読み取り専用領域は、フェイズエンコーディング方式によりエンコードされたデータ（バイフェイズマークと言う。）を有する。
図１４（ｃ）は、第２の読取専用データ領域に記録されたデータを示す。フェイズエンコーディング方式によりエンコードされたデータは、短い長さ（１ビットデータの記録領域の長さをＡとする、Ａ／２の長さ）の破壊された部分１４３１、短い長さの正常な部分１４３０、長い長さ（Ａの長さ）の破壊された部分１４２９及び長い長さの正常な部分１４３２を有する。
図１４（ｃ）に示す記録マークより図１４（ｄ）のデータが得られる（Ａ／２を時間単位として表示している）。破壊された部分からは０のデータが得られ、正常な部分からは１のデータが得られる。
図１４（ｄ）のデータをデコードして、図１４（ｅ）のデータ（Ａを時間単位とする。）が得られる。
従来の光磁気ディスクでは、記録再生データ領域１４０５には、記録膜の磁化によりデータが記録される。記録膜に記録されたデータは、当該記録膜にレーザ光を照射して反射光を受け、反射光の偏光角度の変化を検出することにより再生される。
図１５は、図１４に示す光ディスクのうち、光磁気ディスクを再生する光ディスク装置の構成を示す。
光ピックアップ１５０２は光ディスク１５０１に再生用レーザ光を照射して反射光を入力する。
反射光は、スプリッタ１５０３により２つの偏光面の光成分に分離される。それぞれの光成分は光検出器１５０４、１５０５に入力される。
光検出器１５０４、１５０５は、それぞれの偏光面の光成分を入力し、それぞれの光成分を光量に比例した電圧信号に変換し、電圧信号を出力する。
それぞれの電圧信号は加算器１５０６及び減算器１５０７に入力される。
加算器１５０６は、光検出器１５０４、１５０５の出力信号を入力し、入力した信号を加算して、加算信号（アナログ信号）１６０１（図１６）を出力する。加算信号（アナログ信号）１６０１は光ピックアップが受光した光量に比例する。加算信号（アナログ信号）１６０１を図１６に図示する。
加算信号（アナログ信号）１６０１は２値化器１５０８に入力される。２値化器１５０８は、１６０５を閾値として加算信号（アナログ信号）１６０１を２値化し、加算信号（デジタル信号）１６０２を出力する。加算信号（デジタル信号）１６０２を図１６に図示する。
光ピックアップ１５０２が第１の読取専用データ領域１４０３のデータ領域１４１２のデータを読み出す場合は、ピットが存在しない部分の反射光量は大きく、ピットが存在する部分の反射光量は非常に小さい。
従って、図１６の加算信号（アナログ信号）１６０１において、図１４（ｈ）の短い長さ（Ａ／２の長さ）のピット１４１９から加算信号１６０９が、短い長さのピットでない部分１４１８から加算信号１６０８が、長い長さ（Ａの長さ）のピット１４１７から加算信号１６０７が、及び長い長さのピットでない部分１４２０から加算信号１６１０がそれぞれ得られる。
光ピックアップ１５０２が第２の読取専用データ領域１４０２のデータを読み出す場合は、正常な部分の反射光量は大きく、記録膜を破壊された部分の反射光量は非常に小さい。
従って、図１６の加算信号（アナログ信号）１６０１において、図１４（ａ）の短い長さ（Ａ／２の長さ）の破壊された部分１４３１から加算信号１６０９が、短い長さの正常な部分１４３０から加算信号１６０８が、長い長さ（Ａの長さ）の破壊された部分１４２９から加算信号１６０７が、及び長い長さの正常な部分１４３２から加算信号１６１０がそれぞれ得られる。
なお、記録再生データ領域１４０５においては（サーボ用又はアドレス用のピットが存在するところを除く。）、磁化の有無又は磁化の方向にかかわらず反射光量は大きい。従って、加算信号１６０１は常にハイである（１６０８及び１６１０と同じレベル）。
減算器１５０７は、光検出器１５０４、１５０５の出力信号を入力し、入力した信号を減算して、差信号（アナログ信号）１６０３（図１６）を出力する。差信号（アナログ信号）１６０３は光ピックアップ１５０２が受光した光に含まれる各偏光面の光成分の差に比例する。差信号（アナログ信号）１６０３を図１６に図示する。
差信号（アナログ信号）１６０３は２値化器１５０９に入力される。２値化器１５０９は、０Ｖを閾値として差信号（アナログ信号）１６０３を２値化し、差信号（デジタル信号）１６０４を出力する。差信号（デジタル信号）１６０４を図１６に図示する。
光ピックアップ１５０２が記録再生データ領域１４０５のデータを読み出す場合は（サーボ用又はアドレス用のピットが存在するところを除く。）、磁化の方向によって差信号１６０３の極性が正（１６２３、１６２５）又は負（１６２２、１６２４）になる。
差信号１６０４をデコードすることにより、記録されたデータを再生することが出来る。
なお、第１の読取専用データ領域１４０３のデータ領域１４１２のピットが存在する部分、及び第２の読取専用データ領域１４０２の記録膜が破壊された部分では、入力する光量が小さく且つ磁化されていない故に、差信号はランダムノイズにような波形になる。
上記の様に、第１の読取専用データ領域１４０３のデータ領域１４１２から読み出された信号と第２の読取専用データ領域１４０２から読み出された信号とを比べると、記録の仕方が全く異なるにもかかわらず加算信号及び差信号の波形が極めて類似しており、両者を区別することが困難である。
ＤＶＤ−ＲＡＭディスクのように直径が１２ｃｍもある比較的大径のディスクではディスクの表面積に余裕がある故に、上記のように光ディスクの内周部にＢＣＡを配置することが可能である。
例えば、ＤＶＤ−ＲＡＭディスクにおいては半径が２２．３ｍｍから２３．５ｍｍのエリアがＢＣＡである。光ディスク自体が大きい故に光学ヘッドをそれほど小さく作らなくても、ＢＣＡが配置されている半径位置まで光学ヘッドを移動させ、ＢＣＡに記録された情報を読み出すことが可能であった。
しかし、例えば直径が５０ｍｍ程度の小径ディスクでは、小さなディスクの表面積の制約の中で記録可能な情報量を出来るだけ増やそうとすれば、出来るだけ内周部まで記録再生領域を広げる必要がある。それ故に、かかる小径の光ディスクにおいて内周部に大きな面積を占有するＢＣＡを設けることは、それだけ記録再生領域を小さくし記録容量を著しく低下させるという問題があった。
しかし小径ディスクにおいても、上記の第１の読取専用データ領域に記録されているデータ及び第２の読取専用データ領域に記録されているデータをそれぞれディスク上に記録したいという市場の要望が強く、記録しなければならないデータ量はむしろ増大傾向に有る。
本発明は、従来のディスクの第２の読取専用データ領域に比べて極めて小さな読取専用データ領域にデータを記録可能な光ディスクを提供することを目的とする。
又、本発明は、極めて小さな読取専用データ領域を有する光ディスクの当該読取専用データ領域にデータを記録する光ディスクの記録装置を提供することを目的とする。
又、本発明は、極めて小さな読取専用データ領域にデータが記録された光ディスクの生産方法を提供することを目的とする。
又、本発明は、極めて小さな読取専用データ領域にデータが記録された光ディスクから当該データを再生する光ディスクの再生装置を提供することを目的とする。
又、本発明は、極めて小さな読取専用データ領域にデータが記録された光ディスクから当該データを再生する光ディスクの再生方法を提供することを目的とする。
発明の開示
上記の課題を解決するため、本発明は下記の構成を有する。
第１の発明は、螺旋状もしくは同心円上に配置された１つ又は複数のトラックを有し、前記トラックが、制御用の第１のプリピット領域又は溝部又は溝間部を有し、且つプリフォーマットデータを記録するプリフォーマットデータ記録領城を有し、前記プリフォーマットデータ記録領域は、プリピット以外の方法により形成されたプリフォーマットデータを有する、ことを特徴とする光ディスクである。
第２の発明は、前記トラックが複数の領域に分割されたセグメントを有し、前記セグメントが前記第１のプリビット領域と、プリフォーマットデータの記録を行うプリフォーマットデータ記録領域とを有し、前記第１のプリピット領域は、前記トラックの長手方向から左右に変移し、かつ長手方向に異なる位置に配置された１対のウォブルピットを有する、ことを特徴とする第１の発明の光ディスクである。
従来の光ディスクにおいては、光ディスク毎に固有のプリフォーマットデータを、例えば記録膜をバーコード状に破壊することにより記録した。しかし、記録膜を破壊してプリフォーマットデータを書き込む時は、プリピット又は溝等を用いて位相制御及びトラッキング制御をすることが困難であった。第１の理由は記録膜を破壊することにより（その最小の破壊面積は１個のプリピットの大きさと較べると大きい。）位相制御又はトラッキング制御の基準となるプリピット等を同時に破壊するおそれがあることであり、第２の理由は記録膜を破壊した部分から得られる再生信号と位相制御又はトラッキング制御の基準となるプリピットから得られる再生信号とを区別することが困難であるためである。記録膜を破壊した部分から得られる再生信号、及びプリピットから得られる再生信号は、いずれもレーザ光の反射光量の大小に基づく信号であり、記録方法毎の再生信号を区別できないことによる。そのため、記録膜を破壊してプリフォーマットデータを書き込む時等においては、光ヘッドを位相制御せず、トラッキング制御も行わなかった（特開平１１−１６２０３１号公報参照）。そのため、ＤＶＤメディアのＢＣＡのように、幅広い（約２ｍｍ）プリフォーマットデータ記録領域にわずかのデータ（例えば１８８Ｂ）しか記録できなかった。
本発明は、位相制御（例えばスタートピット又はクロックピットを用いる。）及び／又はトラッキング制御（例えばウォブルピット又は溝部を用いる。）を行いながら、プリピット以外の方法により形成されたプリフォーマットデータを記録出来る光ディスクを実現する。これにより、トラック幅が狭いプリフォーマットデータ記録領域に、大きな情報量のプリフォーマットデータを記録することが出来る。制御用のプリピットからの再生信号と、プリフォーマットデータの再生信号とを、後述の再生装置又は再生方法により区別することにより、正しくプリフォーマットデータを再生することが出来る。
「プリフォーマットデータ領域」とは、市場で一般に販売されている光ディスク装置ではデータの書き換えが困難なデータが記録されている領域を言う。一般的には、一般ユーザが当該光ディスクを購入する前にデータが記録される領城である。例えばディスク工場においてプリピットで形成されたデータを記録し、コンテンツ（例えば映画）のダビング会社において垂直磁気異方性を有する部分と垂直磁気異方性を失った部分とで形成されるデータを記録する領域である。
「制御用のプリピット」とは、光ディスクの制御用に必要なプリピットを言う。例えば、スタートピット、ウォブルピット、アドレスピット等である。
「セグメント」とは、物理的に識別可能に分割された任意のデータのまとまりを言う。
第３の発明は、前記プリフォーマットデータ領域が、制御用のプリピット以外のプリピットにより形成されたプリフォーマットデータを記録する第２のプリピット領域と、プリピット以外の方法により形成されたプリフォーマットデータを記録する領域とを含み、且つプリフォーマットデータ領域の長手方向に少なくとも１個の前記第２のプリピット領域が前記プリピット以外の方法により形成されたプリフォーマットデータを記録する領域と隣接していることを特徴とする第１の発明の光ディスクである。
従来、プリフォーマットデータとしてプリピットと記録膜を破壊することの両者を１つのトラック上に混在させると、再生時に両者の識別が困難になるという問題があった。いずれもレーザ光の反射光量の大小に基づいて信号が検出されていたからである。例えば１周分のトラックに位相検出用のプリピット（制御用プリピット）と、プリフォーマットデータであるプリピットとを設けた光ディスクにおいては、一般にプリピットのない一定領域に基づいて、角度座標の基準となるポイントを検出する。このプリピットのない一定領域に記録膜を破壊することによるデータを記録すると、角度座標の基準となるポイントが分からなくなってしまう。従って、２種類のプリフォーマットデータを混在させることが出来なかった。そのため、例えばプリピットで形成した原盤に固有のデータを記録する領域と、記録膜を破壊すること等により形成した個々の光ディスクに固有のデータを記録する領域とを、別個のトラックに設けていた。例えば、光ディスクを１周する環状のプリピット領域と、同じく光ディスクを１周する環状のプリピット以外の方法により形成されたデータを記録する領域とを設けていた。それ故に、大きな記録領域を必要とした。
本発明は、２種類のプリフォーマットデータ（プリピットで形成したプリフォーマットデータ、及びプリピット以外の方法により形成されたプリフォーマットデータ）を、同一のトラック上に隣接して設けることにより、高密度でプリフォーマットデータを記録する光ディスクを実現出来る。
第４の発明は、前記プリピット以外の方法により形成されたプリフォーマットデータが、記録膜が通常の磁気異方性を有する部分と、記録膜が通常よりも小さな磁気異方性を有する部分とで形成されたプリフォーマットデータであることを特徴とする第１の発明の光ディスクである。
本発明の光磁気ディスクは、例えばユーザが書き換え出来ないデータとして、磁気異方性の大小（反射光の偏光角度の大小。有無を含む。）に基づくデータを有する。
磁気異方性の大小に基づくデータとは、例えば記録膜を垂直磁気異方性を失う程度に劣化させた部分とそうでない部分とで構成されるデータである。
記録膜の垂直磁気異方性の大小に基づくデータは、プリピット等の反射光量の有無に基づくデータと異なる再生方法で再生することができ、且つ記録膜の垂直磁気異方性を喪失する程度に記録膜を変質させても当該部分での反射光量は正常な部分と変わらない故に、記録膜の垂直磁気異方性の大小に基づくデータがプリピット等によるデータと混在してもプリピット等によるデータの読み取りに影響を与えず且つそれぞれのデータを別個に再生することが出来る。従って、両者のデータを混在出来る。
従来、ＹＡＧレーザを記録膜に照射してアルミの反射膜を破壊する部分を設けることによりユーザが書き換え出来ないデータを記録したが、ＹＡＧレーザによる大きなパワーを記録膜に照射すること、及びＹＡＧレーザの熱により溶融破壊された部分周囲が溶けたアルミの表面張力により環状に盛り上がって破壊部分の面積が広がる傾向を有することにより、当該データの１ビット当たりの面積は非常に大きかった。例えば、ＤＶＤのＢＣＡに記録されたデータは平均３μｍの長さを有する。
これに対して、本発明の記録膜の垂直磁気異方性の大小に基づくデータは、約１μｍ又はそれ以下の長さで形成可能である。
一方、記録膜の垂直磁気異方性をなくす程度に記録膜を変質させるレーザ光の強度は通常のレーザで実現可能であり、当該レーザ光のビームスポット径は通常の記録再生用レーザ（記録膜を磁化し、又は再生信号を取り出すためのレーザ）と同程度（例えばスポット径０．６μｍ）である。
従って、従来の記録膜を破壊する部分を設けることによりデータを記録する方法に比べて、本発明によれば、データ１ビット当たりの面積を小さくすることが出来る。
本発明により、前記プリピット以外の方法により形成されたデータをプリフォーマットデータ領域に記録することが出来る。記録膜を変質させた部分を元に戻す事は困難である故に、プリフォーマットデータを市場で改竄される可能性は極めて小さい。本発明は、高い記録密度のプリフォーマットデータ領域を実現することが出来る。
本発明の光ディスクは、例えばユーザが勝手に書き換えが出来ないデータとして、プリピットによるデータと磁気異方性の大小に基づくデータとを１個の記録領域に混在させて有する。
プリピットによるデータは反射光量の差異により検出可能である。反射光の偏光角度の大小によるデータは反射光の偏光角度の絶対値の差異に基づいて検出可能である（本発明の再生方法である。）。両者のデータは再生方法が異なり且つ一方の検出方法によっては他方のデータが再生されない故に、両者を同じ記録領域に混在させても光ディスク装置で再生信号を読み出した場合それぞれのデータを識別することが出来る。
このように、磁気異方性の大小に基づくデータを記録するための専用の記録領域を設ける必要がなく、例えば反射光量の差異によるデータ（例えばプリピットによるデータ）が記録されている記録領域と同じ記録領域に混在させることが出来る。
これにより、本発明は、例えばユーザが書き換え出来ないデータを記録する記録領域の小さな光ディスクを実現でき、ユーザが自由に記録再生可能な記録領域がより広い（より多くのデータが記録できる）光ディスクを実現できるという作用を有する。
位相制御又はトラッキング制御するためのプリピットを設け、当該プリピットの再生信号で光ピックアップを制御することにより、狭トラックに高密度で磁気異方性の大小に基づくデータを記録する光ディスクを実現できる。プリピットの再生信号と磁気異方性の大小に基づくデータとを再生時に容易に区別できるからである。
「磁気異方性の大小に基づくデータ」とは、例えば、ディスクに垂直偏光された光が照射され、その反射光の偏光角度に変化が生じる部分（磁気異方性がある部分）と、偏光角度に変化が少ない反射光を生じる部分（磁気異方性が低下している部分）とによって形成されるデータである。
例えば、偏光角度に変化が生じた反射光を生じる部分と、前記偏光角度に変化が生じた反射光を生じる部分と識別可能な程度にわずかしか偏光角度に変化が見られない反射光を生じる部分と、によって形成されるデータである。
「識別可能な程度にわずかしか偏光角度に変化が見られない反射光」とは、偏光角度に変化が生じた反射光を生じる部分での偏光成分の検出信号のレベルに対して、偏光成分の検出信号のレベルが一定の閾値によって高い信頼性で弁別可能な程度に小さなレベルを有する（例えば１／２以下）反射光を言う。
反射光の偏光角度の絶対値の差異に基づくデータ（反射光の偏光角度の大小に基づくデータ）を反射光量の差異に基づくデータとともに記録領域に記録することは、後述するように、例えば２個の反射光量の差異に基づくデータの記録領域の間に反射光の偏光角度の絶対値の差異に基づくデータを挟むことと、同一記録領域上に反射光の偏光角度の絶対値の差異に基づくデータと反射光量の差異に基づくデータとを記録することとを含む。
「記録膜が通常よりも小さな磁気異方性を有する部分」は例えばレーザ光により記録膜が変質された部分であり、「通常の磁気異方性を有する部分」とは変質されていない部分である。
第５の発明は、他の前記セグメントが第３のプリビット領域とデータを書き込むためのデータ記録領域とを更に有し、前記第３のプリピット領域は前記第１のプリピット領域と同一の構造を有することを特徴とする第２の発明の光ディスクである。
従来の光ディスクは、例えば通常のデータ（ユーザが記録又は再生するデータ）を記録する領域の制御用の構造（例えばプリピット領域）と、プリフォーマットデータを記録した領城の制御用の構造（例えば幅の広いバーコード状のデータであって、レーザビームのガイド用のプリピットがない。）とが異なっていた。そのため、記録装置又は再生装置は、通常のデータを記録した領域と、プリフォーマットデータを記録した領域とで、レーザビームを異なる方法で制御する必要があった。例えば通常のデータを記録した領域においてはウォブルピットを用いてトラッキング制御し且つスタートピットを用いて位相制御し、プリフォーマットデータを記録した領域においては、光ピックアップを所定の位置に位置させ且つ光ディスクを速度制御した（トラッキング制御も位相制御も行わない。）。そのため、記録装置等の制御部が複雑化し、高コストになっていた。
本発明の光ディスクは、通常のデータを記録した領域と、プリフォーマットデータを記録した領域とが同一の制御用のプリピット領域（例えばウォブルピット等を有する。）を有する故に、記録装置等は、いずれの領域においてもレーザビームを同一の方法で制御すれば良い。本発明は、簡素で安価な制御部を有するディスク装置により、記録又は再生することが出来る光ディスクを実現できるという作用を有する。
第６の発明は、隣接する前記第２のプリピット領域に挟まれた領域の中の少なくとも２個の領域が異なる長さを有し、少なくとも最も長い長さを有する隣接する前記第２のプリピット領域に挟まれた領域に、前記プリピット以外の方法により形成されたプリフォーマットデータを記録する領域が設けられていることを特徴とする第３の発明の光ディスクである。
本発明の光ディスクにおいては、例えば光ディスクを１周する環状のプリフォーマットデータ領域を設け、ここに複数のセグメントに分割されたプリピット領域を設ける。
例えば隣接するプリピット領域に挟まれた領域を全て同じ長さにするのではなく、１個の隣接するプリピット領域に挟まれた領域の長さを他の隣接するプリピット領域に挟まれた領域の長さよりも長くする。
当該長い長さの隣接するプリピット領域に挟まれた領域を検出し、その後この領域を起点にして（角度座標の基準のポイントとして）各セグメントのアドレスを特定することにより、光ピックアップで特定のアドレスのセグメントに容易にアクセスすることが出来る。
従来の光ディスクにおいては、このような隣接するプリピット領域に挟まれた領域には何のデータも記録していなかった。
しかし、少しでもデータの記録容量を増やしたいという要望が強い小径の光ディスクにおいては、長い長さの領域を何も記録しないでおくことは要望に反する。本発明の光ディスクにおいては、当該長い長さの隣接するプリピット領域に挟まれた領域に、プリピット以外の方法により形成されたデータを記録する。
当該長い長さの隣接するプリピット領域に挟まれた領域には、プリピット以外の方法により形成されたデータを記録することにより（好ましくは垂直磁気異方性を有する部分と垂直磁気異方性を失った部分とで形成されるデータを記録し、本発明の再生方法によりデータを再生することにより）、当該長い長さの隣接するプリピット領域に挟まれた領域に記録されたデータは当該長い長さの隣接するプリピット領域に挟まれた領域の検出を妨げない。
これにより、本発明は、例えばユーザが勝手に書き換えが出来ないデータを記録する記録領域の小さな光ディスクを実現でき、ユーザが自由に記録再生可能な記録領域がより広い（より多くのデータが記録できる）光ディスクを実現できるという作用を有する。
当該長い長さの隣接するプリピット領域に挟まれた領域以外の短い長さの隣接するプリピット領域に挟まれた領域に、プリピット以外の方法により形成されたデータを記録することも出来る。
「長さ」とは、プリピット領域の長手方向に沿って測定した長さを言う。
第７の発明は、前記プリフォーマットデータ領域が、プリピットにより形成されたプリフォーマットデータ及びプリピット以外の方法により形成されたプリフォーマットデータを有し、前記プリピットにより形成されたプリフォーマットデータを有する領域の少なくとも一部が前記プリピット以外の方法により形成されたプリフォーマットデータを有する領域と重なっていることを特徴とする第１の発明の光ディスクである。
本発明の光ディスクにおいては、例えば実施例のように一部の領域がプリピットにより形成されたデータを有する領域であり且つプリピット以外の方法により形成されたデータを有する領域である。
本発明により、光ディスク上の一定の記録領域に多くのデータを記録することが出来る。
又、本発明は、例えばユーザが勝手に書き換えが出来ないデータを記録する記録領域の小さな光ディスクを実現でき、ユーザが自由に記録再生可能な記録領域がより広い（より多くのデータが記録できる）光ディスクを実現できるという作用を有する。
第８の発明は、前記プリピット以外の方法により形成されたプリフォーマットデータが、前記プリピットにより形成されたデータを有する領域の中のプリピットが設けられていない部分に記録されていることを特徴とする第３の発明又は第４の発明の光ディスクである。
第７のの発明は、同一の記録領域にプリピットにより形成されたデータとプリピット以外の方法により形成されたデータとを重ねて記録できる故に高い記録密度を実現できる。
しかし、プリピットが設けられている部分では反射光が非常に小さい故に、プリピットが設けられている部分に例えば反射光の偏光角度の絶対値の差異に基づくデータ（プリピット以外の方法により形成されたデータ）を記録しても、当該データを再生することは困難である。
そこで、本発明の光ディスクにおいては、プリピット以外の方法により形成されたデータが、前記プリピットにより形成されたデータを有する領域の中のプリピットが設けられていない部分に記録される。
本発明により、光ディスク上の一定の記録領域に多くのデータを再生可能に記録することが出来る。
又、本発明は、例えばユーザが勝手に書き換えが出来ないデータを記録する記録領域の小さな光ディスクを実現でき、ユーザが自由に記録再生可能な記録領域がより広い（より多くのデータが記録できる）光ディスクを実現できるという作用を有する。
プリピットにより形成されたデータとは、プリピットが存在し得る部分に実際にプリピットが有るか否かにより記録された１ビットのデータである。そこで、「プリピット領域の中のプリピットが設けられていない部分」は、プリピットが存在し得る部分であって実際にはプリピットが無い部分を含む。
又、例えばプリピットが位相変調方式により記録されている場合は、隣接するプリピットの間に挟まれた部分も含まれる。
第９の発明は、前記プリピットにより形成されたプリフォーマットデータのマーク長が前記プリピット以外の方法により形成されたプリフォーマットデータのマーク長と異なる長さを有することを特徴とする第３の発明又は第４の発明の光ディスクである。
上述のようにプリピットが設けられている部分では反射光が非常に小さい故に、プリピットが設けられている部分に例えば反射光の偏光角度の絶対値の差異に基づくデータ（プリピット以外の方法により形成されたデータ）を記録しても、当該データを再生することは困難である。
そこで、本発明の光ディスクにおいては、前記プリピットにより形成されたデータとプリピット以外の方法により形成されたデータとのマーク長を異ならせる。
これにより、プリピットの存在する部分から反射光が得られなくてもそれぞれのデータを再生することが出来る。
本発明により、光ディスク上の一定の記録領域に多くのデータを再生可能に記録することが出来る。
又、本発明は、例えばユーザが勝手に書き換えが出来ないデータを記録する記録領域の小さな光ディスクを実現でき、ユーザが自由に記録再生可能な記録領域がより広い（より多くのデータが記録できる）光ディスクを実現できるという作用を有する。
実施例のようにフェイズエンコーディング方式によりエンコードされたデータを記録する場合は、好ましくは、前記プリピットにより形成されたデータのマーク長が前記プリピット以外の方法により形成されたデータのマーク長の少なくとも４倍以上の長さを有し、又は前記プリピット以外の方法により形成されたデータのマーク長が前記プリピットにより形成されたデータのマーク長の少なくとも４倍以上の長さを有する。
これにより、容易にそれぞれのデータを再生することが出来る。
「マーク長」とは、プリフォーマットデータ領域の長手方向に沿って測定した１個のデータ当たりの長さを言う。
光ディスクの記録膜に一定の範囲内のレーザ光を照射することにより、記録膜の反射光量は変化しないが、記録膜の垂直磁気異方性が他の部分と識別可能な程度に小さくなるように（例えば反射光の偏光角度の変化が、他の部分での反射光の偏光角度の変化に対し１／２以下になる程度である。垂直磁気異方性がなくなる程度を含む。）記録膜を変質させることが出来る。
例えば、光ディスク上に記録膜の垂直磁気異方性を失った部分（磁化により当該部分での反射光の偏光角度が変化しない。）と正常な部分（記録膜の垂直磁気異方性を有する部分である。磁化により当該部分での反射光の偏光角度が変化する。）とを設けることにより、光の偏光角度の大小に基づくデータを記録することが出来る。
又、垂直磁気異方性を失った部分は再び垂直磁気異方性を回復できない故に、この方法により記録されたデータを書き換えることは極めて困難である。従って、記録膜の垂直磁気異方性の大小に基づいて光ディスクに記録するデータとしては、ユーザが書き換え出来ないデータ（例えば光ディスクのシリアル番号等）が適している。
第１０の発明は、前記プリフォーマットデータ領域が、光ディスクの内周側又は外周側の少なくとも一方の近傍に設けられており、且つ少なくとも光ディスクの１周以上の長さを有することを特徴とする第１の発明の光ディスクである。
ディスク装置は、光ディスクの記録又は再生を開始する場合、最初に光ディスクのほぼ先頭に位置するプリフォーマットデータの記録領域（内周又は外周に位置する。）にアクセスし、光ディスクの固有情報（プリフォーマットデータ）を取得した後、所望のデータ記録領域の先頭アドレスにアクセスすることにより、素早く記録又は再生を開始できる。プリフォーマットデータの記録領域の長さが光ディスクの１周以上あれば、プリフォーマットデータの先頭位置を検出することが容易である。例えばプリピットからの再生信号がない最長期間を検出し、当該最長期間に基づいて、角度座標の基準となるポイントを検出する。
第１１の発明は、前記プリピット以外の方法により形成されたプリフォーマットデータが光ディスク固有の情報を含むことを特徴とする第１の発明の光ディスクである。例えば磁気異方性の大小に基づくデータは、個々の光ディスクの固有情報として適している。
第１２の発明は、前記プリピット以外の方法により形成されたプリフォーマットデータを記録する領域が、通常のデータ記録領域の記録膜よりも小さな磁気異方性を有する記録膜のみからなることを特徴とする第１の発明の光ディスクである。
一般のユーザに販売される光ディスクのプリフォーマットデータ領域のプリピット以外の方法により形成されたデータを記録する領域が、ブランクの状態で出荷される場合を考える。不正コピーをする者が、不正コピーの光ディスクの当該プリピット以外の方法により形成されたデータを記録する領域に合法な光ディスクと同じデータを記録することにより、合法な光ディクスと不正コピーの光ディスクの識別が困難になる。
そこで、本発明の光ディスクにおいては、プリピット以外の方法により形成されたデータを記録する領域の記録膜を全て変質させる。正常な部分を変質させることは出来るが、一旦変質した部分を回復させることは極めて困難である故に、本発明は、不正コピーを防止できる光ディスクを実現出来るという作用を有する。
第１３の発明は、前記プリピット以外の方法により形成されたプリフォーマットデータがフェイズエンコーディングによるデータであることを特徴とする第３の発明の光ディスクである。
記録膜を変質させた部分と正常な部分とによりデータを記録する方式においては、記録膜を変質させた部分を正常に戻すことは極めて困難であるが、正常な部分を変質させることは容易である。バイフェイスマーク（フェイズエンコーディングによるデータ）は、少なくともマーク（１ビットの記録データ）の両端でデータが変化しなければならない故に、正常な部分を変質させることだけによってはデータを改竄することが出来ない。
又、再生した信号からクロックを生成することが容易であり、プリピットによるデータとプリピット以外の方法によるデータとを重畳させた場合に、データの分離が容易である。
更に、データそのものから再生用のクロックを生成出来る等のバイフェイスマーク固有の特徴も有する。
そこで、本発明は、記録されたデータを改竄しにくい光ディスクを実現出来るという作用を有する。
第１４の発明は、前記プリピットにより形成されたプリフォーマットデータが位相変調方式のデータであることを特徴とする第３の発明の光ディスクである。
プリピットにより形成されるデータが位相変調方式のデータであれば、当該プリピットのデータをクロック生成に使用し、且つプリピットが設けられていない部分にプリピット以外の方法により形成されたデータを記録することが出来る。
本発明は、非常に記録密度の高い光ディスクを実現出来るという作用を有する。
第１５の発明は、螺旋状もしくは同心円上に配置された１つ又は複数のトラックを有する光ディスクの記録装置であって、前記光ディスクに設けられたウォブルピット、溝又は溝間部にレーザ光を照射してその反射光量に基づいて光ピックアップの位相制御又はトラッキング制御を行う制御部と、前記制御部により光ピックアップの位相制御又はトラッキング制御を行いながら、レーザー光を照射することによって、光を反射し且つ磁気異方性が通常よりも小さくなる程度に光ディスクの記録膜を変質させて情報を前記トラックに記録する記録部と、を有することを特徴とする光ディスクの記録装置である。
本発明の光ディスクの記録装置により、光ピックアップを制御することにより狭いトラック上に高密度で記録膜の磁気異方性の大小（反射光の偏光の大小）に基づくデータを記録することが出来る。
本発明は、上述のように記録密度の高い光ディスクを製造できる光ディスクの記録装置を実現出来るという作用を有する。
「記録装置」は、記録専用の装置と記録再生装置とを含む。
「位相制御又はトラッキング制御」とは、いずれか一方でも良く、両方を含んでも良い。
第１６の発明は、記録膜を変質させる前記レーザ光の強度が、記録膜を６８０度Ｃ以上で１３００度Ｃ以下の温度にする強度であることを特徴とする第１５の発明の光ディスクの記録装置である。
本発明により、光ディスクの記録膜を反射率が変化せず且つ垂直異方性を喪失させる程度に変質させることが出来る。
好ましくは、記録膜の温度が７５０度Ｃ以上で１２５０度Ｃ以下の温度にする。
更に好ましくは、記録膜の温度が７５０度Ｃ以上で９５０度Ｃ以下の温度にする。
「記録膜を６８０度Ｃ以上で１３００度Ｃ以下の温度にする強度」とは、記録膜の任意の点がこの温度範囲の温度になる強度を意味する。
レーザの強度は、上記の記録膜の温度条件と、記録時の光ディスクの回転速度（レーザの照射点の線速度）等に基づいて決定される。
第１７の発明は、制御用のプリピット又は溝を有する光ディスク基板を生成する光ディスク基板生成ステップと、前記光ディスク基板上に記録膜を生成する記録膜生成ステップと、前記光ディスクに設けられたウォブルピット、溝又は溝間部にレーザ光を照射してその反射光量に基づいて光ピックアップの位相制御又はトラッキング制御を行いながら、レーザー光を照射することによって、光を反射し且つ磁気異方性が通常よりも小さくなる程度に光ディスクの記録膜を変質させて情報を記録する記録ステップと、を有することを特徴とする光ディスクの生産方法である。
本発明の光ディスクの生産方法により、光ピックアップを制御することにより狭いトラック上に高密度で記録膜の磁気異方性の大小（反射光の偏光の大小）に基づくデータを記録することが出来る。
本発明を生産工程の中の例えば光ディスクのシリアル番号の書き込み工程等に適用することにより、本発明は上述のように記録密度の高い光ディスクを製造できる光ディスクの生産方法を実現出来るという作用を有する。
第１８の発明は、記録膜を変質させる前記レーザ光の強度が、記録膜を６８０度Ｃ以上で１３００度Ｃ以下の温度にする強度であることを特徴とする第１７の発明の光ディスクの生産方法である。
本発明により、光ディスクの記録膜を反射率が変化せず且つ垂直異方性を喪失させる程度に変質させることが出来る。
第１９の発明は、前記記録ステップにより、光ディスク固有の情報を記録することを特徴とする第１７の発明の光ディスクの生産方法である。例えば磁気異方性の大小に基づくデータは、個々の光ディスクの固有情報として適している。
第２０の発明は、前記光ディスク基板生成ステップにおいて、プリピットによるデータを更に記録することを特徴とする第１７の発明の光ディスクの生産方法である。例えば原盤等に固有の情報をプリピットのデータとして記録し、個々の光ディスクの固有情報を磁気異方性の大小に基づくデータとして記録する。これにより、効率良く光ディスクにプリフォーマットデータを記録できる。
第２１の発明は、光ディスクの反射光を２個の互いに異なる偏光面の光成分に分離するスプリッタと、前記２個の互いに異なる偏光面の光成分を検出し、２個の検出信号を出力する偏光光成分検出部と、前記２個の検出信号を入力し、差分を出力する差分検出部と、前記２個の検出信号の加算信号のレベルが一定以上の条件で又はプリピットの再生信号に基づいて生成したウインドウ信号の期間内の条件で、一定の閾値に基づいて前記差分の絶対値を２値化する２値化器と、を有することを特徴とする光ディスクの再生装置である。
第２７の発明は、光ディスクの反射光を２個の互いに異なる偏光面の光成分に分離し、それぞれの光成分を検出するスプリットステップと、検出した前記２個の光成分の差分を出力する差分検出ステップと、前記２個の検出信号の加算信号のレベルが一定以上の条件で又はプリピットの再生信号に基づいて生成したウインドウ信号の期間内の条件で、一定の閾値に基づいて前記差分の絶対値を２値化する２値化ステップと、を有することを特徴とする光ディスクの再生方法である。
特開平１１−１６２０３１号公報に、磁気異方性の大小に基づくプリフォーマットデータを光ディスクに記録し、当該プリフォーマットデータ記録部分に直線偏光を照射し、その反射光の回転角度に基づいてデータを再生する方法が記載されている。しかし、その具体的方法は記載されていなかった。通常のデータは光ディスクの反射光の２つの異なる偏光面成分を取り出し、その差分を検出することにより再生するが、反射光の１つの偏光面成分を取り出し、そのレベル変化に基づいて当該プリフォーマットデータを再生する考えがある。しかし、そのような方法では、記録膜の磁気異方性の大小に基づく再生信号と、プリピットの有無に基づく再生信号とが一緒に読み出されてしまう（反射光量の大小に基づき検出する点で、類似している。）。そのため、制御用プリピットの再生信号で光ピックアップを制御しながら、高密度記録されたプリフォーマットデータ（記録膜の磁気異方性の大小に基づくデータ）を読み出すことが困難であった。
本発明は、光ディスクに直線偏光を照射し、反射光の２つの異なる偏光面成分を取り出し、２個の検出信号の加算信号のレベルが一定以上の条件又はプリピットの再生信号に基づいて生成したウインドウ信号の期間内の条件で、その差分の絶対値の大小に基づいて、当該プリフォーマットデータを再生する。これにより、プリフォーマットデータを再生し、正しく２値化することが出来る。又、この方法によれば、プリピットからの再生信号を除去することができる故に、制御用プリピットの再生信号で光ピックアップを制御しながら、高密度記録されたプリフォーマットデータ（記録膜の磁気異方性の大小に基づくデータ）を読み出すことが出来る。
「再生装置」は、再生専用装置及び記録再生装置を含む。
「前記差分の絶対値を２値化する」とは、垂直磁気異方性の大小により２値化することを意味し、垂直磁気異方性を有する部分の磁化の方向に基づくデータ（光磁気ディスクに記録されている通常の記録再生可能なデータ）を含まない。
「前記差分の絶対値を２値化する」とは、入力電圧が閾値よりも０Ｖに近い場合と入力電圧が閾値よりも０Ｖから遠い場合とに分け、それぞれを２値に変換することを意味する。
「前記差分の絶対値を２値化する」とは通常の記録データである磁化の方向の差異に基づく差分を２値化することとの差異を明示するための表現であって、数学的な厳密さで絶対値を求めて２値化することを意味しない。広義に解釈すべきである。例えば、正の値の閾値（差分信号が正の値である時の閾値）と負の値の閾値（差分信号が負の値である時の閾値）とが同じ値であることを要しない。
第２２の発明は、前記２個の検出信号の加算信号を出力する光量検出部を更に有することを特徴とする第２１の発明の光ディスクの再生装置である。
第３０の発明は、前記２個の検出信号の加算信号を出力する光量検出ステップを更に有することを特徴とする第２７の発明の光ディスクの再生方法である。
例えばプリピットの情報は加算信号で検出し、記録膜の磁気異方性の大小に基づくデータは第２１の発明により検出する。これにより、２種類の記録方法による情報を利用できる。
第２３の発明は、前記加算信号の出力レベルが一定の値以上であることに基づくウインドウ信号を生成するウインドウ信号生成部と、前記ウインドウ信号を用いて有効な差分を選択する選択部と、を有することを特徴とする第２２の発明の光ディスクの再生装置である。
第３１の発明は、前記加算信号の出力レベルが一定の値以上であることに基づくウインドウ信号を生成するウインドウ信号生成ステップと、前記ウインドウ信号を用いて有効な差分を選択する選択ステップと、を有することを特徴とする第３０の発明の光ディスクの再生方法である。
本発明は、例えばプリピット領域とプリピット以外の方法により形成されたデータが記録されたデータ領域とが重なっている場合に有効である。
加算信号の出力レベルが一定の値以下であれば（例えばプリピットが設けられている部分）再生信号のＳ／Ｎが非常に悪く、データの信頼性が低い。そこで、本発明は、加算信号の出力レベルが一定の値以上の部分の差分に基づいてデータを読み出す。
これにより、第２３の発明は、例えばプリピット領域とプリピット以外の方法により形成されたデータが記録されたデータ領域とが重なっている光ディスクを再生した場合にも、信頼性の高い再生信号が得られる光ディスクの再生装置を実現出来るという作用を有する。
同様に、第３１の発明は、例えばプリピット領域とプリピット以外の方法により形成されたデータが記録されたデータ領域とが重なっている光ディスクを再生した場合にも、信頼性の高い再生信号が得られる光ディスクの再生方法を実現出来るという作用を有する。
第２４の発明は、前記２値化器の出力信号を入力し、デコードするフェイズエンコーディング方式のデコーダを更に有することを特徴とする第２１の発明の光ディスクの再生装置である。
本発明は、記録されたデータを改竄しにくいフェイズエンコーディング方式のデータが記録された光ディスクからデータを再生できる再生装置を実現出来るという作用を有する。
第２５の発明は、光ディスクの特定の領域からの反射光に基づく前記２値化器の出力信号が全て前記一定の閾値以下であれば、コピーガードを解除するコピーガード部を更に有することを特徴とする第２１の発明の光ディスクの再生装置である。
第２８の発明は、光ディスクの特定の領域からの反射光に基づく前記２値化ステップにおける出力信号が全て前記一定の閾値以下であれば、コピーガードを解除するステップを更に含むことを特徴とする第２７の発明の光ディスクの再生方法である。
上述の様に、記録膜を変質させた部分と正常な部分とにより形成されたデータを光ディスクに記録した場合、記録膜を変質させた部分を正常に戻すことは極めて困難であるのに対して、正常な部分を変質させて改竄することは容易である。
そこで、一般のユーザに向けて販売する光ディスクは、特定の領域の記録膜を全て変質させることが好ましい。
従ってこのような光ディスクを再生した場合は、一般には当該特定の領域にはもはや読み取り可能なデータが記録されていないと判断される（領域全体が０（又は１）に該当すると考えられる故に、クロックとなるデータもなく、ＥＣＣ等のデータが含まれていれば当該ＥＣＣの値は正常な値ではなくなるからである。）。
しかし、本発明の光ディスクの再生装置においては、特定の領域が全て変質されていれば、コピーガード部はコピーガードを解除する。
通常、光ディスク装置においては、当該特定の領域のクロックを再生し、当該クロックに基づいてＥＣＣ等のデータを読み取り、読み取ったデータを出力する。
当該特定の領域が全て変質されていれば（データは０又は１）、クロック再生等の通常のデータの読み取り動作と全く別個の動作である、コピーガード部がコピーガードを解除するという動作を実行する。
「光ディスクの特定の領域」は、任意の領域である。
第２６の発明は、前記加算信号に基づいて光ピックアップの位相制御又はトラッキング制御を行う制御部を更に有し、前記制御部により光ピップアップの制御を行いながら、前記２値化器がデータを出力することを特徴とする第２１の発明の光ディスクの再生装置である。
第３２の発明は、前記加算信号に基づいて光ピックアップの位相制御又はトラッキング制御を行うトラッキング制御ステップを更に有し、前記トラッキング制御ステップにより光ピックアップの位相制御又はトラッキング制御を行いながら、前記２値化ステップによりデータを出力することを特徴とする第２７の光ディスクの再生方法である。
本発明は、光ピックアップを制御することにより、狭いトラック上に高密度で記録膜の磁気異方性の大小（反射光の偏光の大小）に基づくデータを記録された光ディスクから、データを再生する再生装置及び再生方法を実現出来るという作用を有する。
本発明は、垂直磁気異方性を失った部分と正常な部分とにより形成されるデータを再生するに当たり、最初に当該データが記録されている領域に一定のデータ（好ましくは全て０のデータ又は全て１のデータ）を一旦記録することに特徴を有する。
これにより、それぞれの偏光面の光成分の差分又は差分の絶対値に基づいてデータを再生することが出来る。
第２９の発明は、光ディスクに一定のデータを書き込む書き込みステップを更に有し、前記スプリットステップにおいて、前記書き込みステップによりデータを書き込んだ部分からの反射光を受光し、２個の互いに異なる偏光面の光成分に分離し、それぞれの光成分を検出することを特徴とする第２７の発明の光ディスクの再生方法である。
本発明は、垂直磁気異方性を失った部分と正常な部分とにより形成されるデータの記録領域が全く磁化されていなければデータを読み取れない故に、最初に一定のデータ（好ましくは全て０のデータ又は全て１のデータ）を記録する。
又、最初に全て０のデータ又は全て１のデータを記録することにより、通常のデータ（磁化の方向の変化に基づくデータであって、再生光の偏光角度の変化を利用して読み取る。）の再生部をそのまま利用して、当該データの再生が可能になる。
又、光ディスクに通常のデータが記録されていても、一定のデータを記録することによって当該記録されていた通常のデータを消去する故に、当該通常のデータを垂直磁気異方性を失った部分等により形成されたデータと誤って再生することがない。
本発明は、垂直磁気異方性を失った部分と正常な部分とにより形成されるデータを確実に再生する安価な光ディスクの再生装置を実現出来るという作用を有する。
発明の新規な特徴は添付の請求の範囲に特に記載したものに他ならないが、構成及び内容の双方に関して本発明は、他の目的や特徴と共に、図面と共同して理解されるところの以下の詳細な説明から、より良く理解され評価されるであろう。
発明を実施するための最良の形態
以下本発明の実施をするための最良の形態を具体的に示した実施例について図面とともに記載する。
本発明を光ディスクに適用する上で、光ディスク上でユーザが任意にデータを記録再生可能なデータ領域の構成、光ディスクの回転制御方式及び光ピックアップの制御方式等を問わない。
例えば、光ディスク上でユーザが任意にデータを記録再生可能なデータ領域の構成として、データ領域を光ディスクの半径方向の距離に応じて複数のゾーンに分割する方式がある。
即ち、データ領域は所定の数のトラックで構成されるゾーンに分割されており、内周のゾーンから外周のゾーンにいくに従って１周あたりのセクタ数が増加する。
本発明は、いずれのデータ領域の構成を有する光ディスクについても適用可能である。
光ディスクの回転制御方式は、例えば下記の方式がある。
ＺＣＬＶ方式（Ｚｏｎｅ　Ｃｏｎｓｔａｎｔ　Ｌｉｎｅａｒ　Ｖｅｌｏｃｉｔｙ）の光ディスクにおいては、光ディスクの内周から外周に光ピックアップ部が移動するに従って、段階的に光ディスクの回転数を低下させる（ここで、各ゾーンでの回転数は一定とする）。これにより、光ディスク全周にわたって線速度がほぼ一定になるようにしてデータの記録／再生が行われる。
ＺＣＡＶ方式（Ｚｏｎｅ　Ｃｏｎｓｔａｎｔ　Ａｎｇｕｌａｒ　Ｖｅｌｏｃｉｔｙ）の光ディスクにおいては、同様に記録領域をゾーンに分割した光ディスクを角速度が一定になるように回転駆動してデータの記録／再生を行う。
本発明は、いずれの方式の光ディスクについても適用可能である。
また、光ピックアップのトラッキング制御の方式として、例えば下記の方式がある。
コンティニアスサーボフォーマットは、トラックに沿って連続的にプリグルーブを設けるフォーマットであって、これを用いて光ディスクのトラッキング制御等を行うことが出来る。
サンプルサーボフォーマットは、トラック上にサーボエリアのプリビットを離散的に設けるフォーマットであって、これを用いて光ディスクのトラッキング制御等を行うことが出来る。
従来例の上記サンプルサーボフォーマットの光ディスクが特開平８−１１５５２３号公報に記載されている。
上記の従来例においては、内周端近傍及び外周端近傍のコントロールトラックのデータエリアにグレーコードでメディア情報が記録されている。
各セグメントのサーボエリアには、トラッキング制御等に用いられる２つのウォブルピットと、サーボエリア内の記録位置によってそのセグメントを識別する情報（アドレス情報）を与える識別マークのピットとが設けられている。
光ディスク駆動装置において、上記光ディスクから再生した各種ピットのパターンと予め決められたサーボエリアのピットパターンとの一致を確認することにより、光ディスクの回転位相とサーボクロックの位相同期をとり、このサーボクロックを用いて、上記識別マークの位置を読み取ってセグメント番号を識別するとともに、グレーコードで記録されているメディア情報を読み取ってコントロール情報を得る。
従来例の上記プリグルーブを設けた光ディスクが特開平１０−３２０６８４号公報に記載されている。
上記の従来例においては、各トラックの案内溝にウォブルが施されている。
コントロールトラック領域には、コントロールトラック領域の同期信号となるコントロールトラックマークと光ディスクのパラメータ情報を示すコントロール情報とが記録されている。
ユーザ領域等には、ユーザ領域の同期信号となるサーボ同期信号とそのセクタのアドレス情報とが記録され、また案内溝にクロックマークが形成されている。
本発明は、いずれの方式の光ディスクについても適用可能である。
従って、実施例においてはサンプルサーボフォーマットを採用しているが、これに代えてプリグルーブ（溝部又は溝間部）を設けても良い。
《実施例１》
図１から図５及び図１７を用いて、実施例１の光ディスク及び光ディスクの再生装置（再生方法）及び光ディスクの記録装置（記録方法）を説明する。
図１は、実施例１の本発明の光ディスク１０１を図示する。
光ディスク１０１は、内周部にプリフォーマットデータ領域１１１を有し、プリフォーマットデータ領域１１１の外周に接してリライタブル・リードイン領域１１２を有する。リライタブル・リードイン領域１１２の外周側から当該光ディスクの最外周部に至るまでの領域は、記録再生可能なデータ領域１１３に割り当てられてる。
記録再生可能なデータ領域１１３は、螺旋状の記録トラックを有し且つ通常の記録膜を有する領域であって、ユーザが記録又は再生を希望するデータを書き込み又は読み出すことが出来る。当該記録膜を磁化し、再生時に記録膜の磁化の向きに応じて反射光の偏光の向きが変化することを利用して記録されたデータを読み出す。
リライタブル・リードイン領域１１２は、環状の領域であって、当該光ディスクを光ディスク装置（再生装置、記録装置又は記録再生装置）に装着した際に、光ディスク装置の光ピックアップから照射する最適のレーザ光の強度等を学習、調整するための領域である。
プリフォーマットデータ領域１１１は、本発明の特有の領域であって、環状の構造を有する。１０２はその構造を示す拡大図である。
プリフォーマットデータ領域１１１は、光ディスクを１周する環状の構造を有し、１２８０個のセグメント（セグメント０〜１２７９）に分割されている。
各セグメントは、プリピットによる制御用データが記録された制御領域１１４、プリピットによるデータ（光ディスクの原盤作製時に記録され、トラック数、ゾーン数、そして記録再生のパワー設定値など、その光ディスクを装置が記録再生する上で必要な情報等が当該データに適している。）が記録された第１の再生専用データ領域１１５、及び記録膜の垂直磁気異方性を失った部分と正常な部分で形成されたデータ（ディスクごとの固有データ等が当該データに適している。）が記録された第２の再生専用データ領域１１６とを有する。
「再生専用データ領域」とは、一般の記録再生装置によっては記録できず再生のみが可能なデータが記録されている領域を意味する。従って、ここに記録されるデータは、原盤製作時に書き込まれ、又は光ディスクメーカー又はコンテンツ（映画等）のダビングメーカー等が有する特別な記録装置により書き込まれる。
この第２の再生専用データ領域に記録されるデータは、光ディスクのシリアル番号等のデータである故に不正コピーの防止又は生産管理等に必要なデータであり、一般のユーザには無関係なデータである。
各セグメントは上述の構造を有するが、セグメント０のみは第１の再生専用データ領域１１５と第２の再生専用データ領域１１６とに代えて第３の再生専用データ領域１１７が設けられている。当該領域１１７は、第２の再生専用データ領域１１６と同様に記録膜の垂直磁気異方性を失った部分と正常な部分で形成されたデータが記録されている。本明細書においては第３の再生専用データ領域１１７と呼ぶが、第２の再生専用データ領域１１６が広がって第１の再生専用データ領域１１５にまで含んでいると考えることも出来る。
１０３は、セグメント１近傍の構造の拡大図を示す。
制御領域１１４は、スタートピット１２１、ウォブルピット１２２、１２３、アドレスピット１２４を含む。これらのプリピットは光ディスクの制御用のプリピットである。これらのプリピットの機能に付いては後述する。
第１の再生専用データ領域１１５には、フェイズエンコーディング方式によるプリピットデータが記録されている。フェイズエンコーディング方式によるデータの記録方法については、後述する。
本実施例においてはマークエッジ方式のデータを記録しており、短い長さのプリピット１２５と長い長さのプリピット１２６とを含む。プリピットは、光ディスクに形成された穴である。穴の直径及び深さは各々記録再生装置のレーザースポットサイズと波長に依存するが、直径は概ねレーザースポット半値幅の５から８割程度が望ましく、一方深さはレーザー波長の１／４から１／８が望ましい。
第２の再生専用データ領域１１６及び第３の再生専用データ領域１１７には、フェイズエンコーディング方式による記録膜を変質させた部分と正常な部分とによって形成されたデータが記録されている。斜線で示す部分である記録膜を変質させた部分１２７及び１２８は、白い部分で表示する正常な部分と変わらない光の反射量を有するが、垂直磁気異方性を喪失しており、磁化させようとしても磁化できず、当該部分での反射光は偏光しない。白い部分で表示する正常な部分においては、垂直磁気異方性を有しており、磁化することにより当該部分での反射光は異なる面に偏光する。
図１７に、光磁気ディスクの記録膜にレーザ光を照射した場合における、反射率、データ記録信号強度、及び劣化部と非劣化部の信号強度差の特性図を示す。横軸は記録膜の温度（膜温度）を表す（単位は「度Ｃ」である。）。
データ記録信号強度は、記録時にレーザ光を照射しながら光磁気ディスクの記録膜を磁化し、再生時に当該磁化された部分に照射したレーザ光の反射信号の偏光角度（磁化の方向に応じて偏光角度が異なる。）の差異に基づくデータ（図１５の差信号１６０３に相当する。）の再生信号の出力レベルを意味する。
記録時にレーザ光を記録膜に照射して記録膜の温度が約２５０度Ｃを越えると、記録膜を磁化すること（データを記録すること）が可能になる。しかし記録膜の温度が約６００度Ｃを越えると記録膜が変質し、記録膜が垂直磁気異方性を失う（磁化できなくなる。）。記録膜の温度が約６００度Ｃを越えた場合の記録膜の変質は恒久的なものであって、記録膜の特性を元に戻すことは出来ない。
図１７に示すように、記録膜の温度が約２５０度Ｃから約６００度Ｃの範囲においてデータ記録信号強度が大きい。従って、光磁気ディスク通常の信号記録時には、記録膜の温度が約２５０度Ｃから約６００度Ｃの範囲になるようにレーザ光を記録膜に照射する。
記録時の記録膜の温度を更に高くして約９５０度Ｃを越える温度にすると記録膜（ＭＯ膜）の変質（結晶化）が進み、記録膜の反射率が低下し始める。
更に記録時の記録膜の温度を約１３００度を越える温度にすると記録膜が破壊されて（記録膜の溶融による。）記録膜の反射率が急速に低下する。記録時に約１３００度を越える温度にされた記録膜に、再生用レーザ光を照射しても反射光はほとんど得られない（図１５の加算信号１６０１に相当する。）。例えばＤＶＤ（記録膜として相変化材料が使われている。）の場合には、ＢＣＡの記録時に約１３００度を越える温度にして記録膜を破壊した部分と、記録膜を破壊しない部分とを形成することによりデータを記録する。
図１７の反射率と膜温度との関係を表すグラフより、反射率の特性の変化の様子を理解することが出来る。
上述の様に、記録膜の温度を約１３００度を越える温度にすると記録膜が破壊されて、再生時に反射光が得られない。
記録時の記録膜の温度を約１３００度Ｃ以下（好ましくは１２５０度Ｃ以下）にすれば、再生時に反射光（図１５の加算信号１６０１に相当する。）を得られ、反射光から一定以上のレベルの信号を得ることが出来る。
記録時の記録膜の温度が９５０度Ｃを越えると記録膜結晶化が進み、記録膜の反射率が低下する故、記録時の記録膜の温度を９５０度Ｃ以下にすることにより、再生時に反射光から十分大きなレベルの信号を得ることが出来る。
図１７の「劣化部と非劣化部の信号強度差」と膜温度との関係を表すグラフより、劣化部と非劣化部の信号強度差の特性の変化の様子を理解することが出来る。
図１５において説明したように、再生時には光磁気ディスクにレーザ光を照射し、その反射光をスプリッタで２個の偏光成分に分離し、それぞれの偏光成分を光検出器で検出し、２個の光検出信号の出力信号の差信号（図１５の差信号１６０３に相当する。）を生成する。
通常の記録時には記録膜が磁化される故に、当該記録膜からの再生時の反射光に含まれる特定の偏光面の成分（スプリッタによって抽出される偏光成分）の差信号のレベルは大きい（差信号の極性は正の場合と負の場合とがあり、レベルの絶対値が大きいことを意味する。）。
記録時の記録膜の温度が６８０度Ｃを越えると記録膜の垂直磁気異方性が恒久的に大幅に低下し（７５０度Ｃを越えると記録膜の垂直磁気異方性はほとんどなくなる。劣化部を形成する。）、再生時の当該差信号のレベルは低下する（レベルの絶対値が０に近づく。）。劣化部での差信号と非劣化部での差信号との間には大きなレベル差が生じる。それ故に、記録膜にレーザ光で６８０度Ｃを越える温度に加熱した部分と、加熱しない部分とを設けることにより、恒久的な（書き換えの出来ない）データを記録することが出来る。
従来は、光磁気ディスクにデータを記録する目的で、記録時に膜温度が約２５０度Ｃから約６００度Ｃになる範囲（通常のデータの記録）と、記録時に膜温度が約１３００度Ｃ以上になる範囲とを利用していた。
本発明においては、記録時に膜温度が約６８０度Ｃから約１３００度Ｃになる範囲を、光磁気ディスクにデータを記録する目的で使用する。
即ち、記録時に記録膜の温度を約６８０度Ｃから約１３００度の範囲の任意の温度にして記録膜を変質させた（記録膜の垂直磁気異方性を恒久的に失わせた）部分と、記録膜を変質させない部分とを形成することによりデータを記録する。
当該記録膜での再生時のレーザ光の反射光量は、記録膜が変質していない部分での反射光量に比べれば少ないが、十分に検出可能なレベルである。
好ましくは、記録膜の温度が７５０度Ｃ以上で１２５０度Ｃ以下の温度にする。記録膜の温度を７５０度Ｃ以上にすることにより、再生時に記録膜を変質させた部分に照射したレーザ光の反射光の偏光角度は十分に小さくなる故に（記録膜を変質させた部分での再生信号（差信号）と、記録膜を変質させない部分での再生信号（差信号）との差異が大きい故に）、再生信号（差信号）のデータ誤り率を低くすることが出来る。記録膜の温度を１２５０度Ｃ以下にすることにより、記録膜が溶融しない。再生時に一定以上の反射光量を得ることが出来る故に、再生信号のデータ誤り率を低くすることが出来る。
更に好ましくは、記録膜の温度が７５０度Ｃ以上で９５０度Ｃ以下の温度にする。記録膜の温度を９５０度Ｃ以下にすることにより、記録膜が結晶化しない。再生時に十分な反射光量を得ることが出来る故に、再生信号のデータ誤り率を更に低くすることが出来る。
又、記録時に上記温度範囲即ち７５０度Ｃ以上で９５０度Ｃ以下の範囲にした部分では、記録時に上記温度範囲に加熱しなかった部分と較べて、再生時のレーザ光の反射率が殆ど変化しない。従って、コンパクトディスク用又はＤＶＤ等に使用される反射光量のみを検出する光学ヘッドでは当該記録時に上記温度にした部分を検知できない故に、データの秘匿性が高まる。
記録膜をこの温度範囲にすることにより垂直磁気異方性のみ劣化する故に、劣化した部分とそうでない部分（非劣化部）との違いを信号として取り出すには、偏光角度の有無に基づくデータの再生信号を取り出せる光磁気（ＭＯ）用の光学ヘッドを必要とするからである。
再生時に十分な反射光量を得られる範囲で記録膜を変質されることにより、プリピットからの再生信号（反射光量の大小に基づく。）を検出する時、磁気異方性が劣化するように変質させた部分をプリピットと誤って検出する恐れがない。
図２は、本発明の光ディスクの再生装置の概略的な構成を示す。
１０１は光ディスク、２０１は光ピックアップ、２０２はスプリッタ、２０３及び２０４は光検出器、２０５は加算器、２０６は減算器、２０７、２０８及び２０９は２値化器、２１０はスタートピット検出器、２１１はエッジウインドウ生成器、２１２は位相比較器、２１３は電圧制御型発振器（ＶＣＯ）、２１４は分周器、２１５及び２１７は最小値レベル検出器、２１６、２１８及び２１９はウインドウ生成器、ＡＮＤ論理回路２２０、減算器２２１である。
光ピックアップ２０１は光ディスクにレーザ光を照射し、反射光を受ける。反射光はスプリッタ２０２により、第１の偏光面の光成分と第２の偏光面の光成分とに分離される。
第１の偏光面の光成分と第２の偏光面の光成分とはそれぞれ異なる経路を通って、それぞれ光検出器２０３及び２０４に入力される。
光検出器２０３及び２０４は、入力した光成分を電気信号に変換し、出力する。
加算器２０５は、光検出器２０３及び２０４の出力信号を入力し、加算し、加算信号（アナログ信号）を出力する。加算信号（アナログ信号）は、２値化器２０７並びに最小値レベル検出器２１５及び２１７に伝送される。加算信号（アナログ信号）の波形を１０４（図１）及び３０１（図３）に示す。
加算信号（アナログ信号）は、反射光量に比例した信号である。
２値化器２０７は加算信号（アナログ信号）を入力し、閾値１４２、３０９で２値化する（デジタル信号化する。）。加算信号（デジタル信号）の波形を１０５（図１）及び３０２（図３）に示す。
加算信号（アナログ信号）は、プリピットが存在する部分では０Ｖに近い電圧３０８になり、プリピットが存在しない部分では高い電圧３０７になる。２値化の閾値は電圧３０７と電圧３０８との中間の値である３０９に設定されている。
減算器２０６は、光検出器２０３及び２０４の出力信号を入力し、減算し、差分信号（アナログ信号）を出力する。差分信号（アナログ信号）の波形を１０６（図１）及び３０３（図３）に示す。
２値化器２０８及び２０９は差分信号（アナログ信号）を入力し、それぞれ異なる閾値で２値化する（デジタル信号化する。）。
２値化器２０８は、垂直磁気異方性を失った部分と正常な部分により形成されたデータ（第２の再生専用データ領域１１６及び第３の再生専用データ領域１１７に記録されたデータ）を再生することを目的とする。
２値化器２０８は差分信号（アナログ信号）１０６（図１）、３０３（図３）を入力し、差分信号（デジタル信号）１０７（図１）、３０４（図３）を出力する。
差分信号（アナログ信号）１０６、３０３を見ると、光ディスクの記録膜が正常な部分と変質された部分とで出力信号が異なり、反射光量が十分に存在する部分と反射光量が小さい部分（例えばプリピットが存在する部分）とで出力信号が異なり、光ディスクの記録膜が正常な部分においても磁化の方向によって出力信号が異なる。
図３において、光ディスクの記録膜が正常な部分の差分信号は、磁化の方向によって３１０又は３１２になる。又、光ディスクの記録膜が変質された部分の差分信号は、０Ｖに近い３１１になる（図３）。
反射光量が小さい部分（プリピットが存在する部分等）では差分信号は、０Ｖ近辺の電圧１６３になる（図１）。
２値化器２０８は、図３に示すように、０Ｖと正負の最大入力電圧３１０、３１２との中間の値である３１５、３１６を閾値とする。図１においては、差分信号１０６を閾値１６２で２値化する。即ち、差分信号の絶対値の大きさに基づいて２値化する。
従って、２値化器２０８が出力する差分信号（デジタル信号）は１０７（図１）、３０４（図３）のようになる。
２値化器２０８が出力する差分信号（デジタル信号）は、過渡的な出力信号を除いて通常の記録データ（磁化の方向の違いに基づくデータ）を除去出来るが、例えば反射光量が小さな部分（プリピット等）は記録膜が変質された部分と類似する差分信号を出力する（図１の１０７）。
２値化器２０９は、通常のデータ記録領域１１３に記録されたデータ（記録膜の磁化の方向に応じて反射光の偏光角度が変化することにより再生可能なデータ）を再生することを目的とする。
２値化器２０９は差分信号（アナログ信号）３０５（図３）を入力し、差分信号（デジタル信号）３０６（図３）を出力する。
２値化器２０９は通常の記録データ（磁化の方向の違いに基づくデータ）を入力し、０Ｖを閾値として２値化し、出力する。
図１において、加算信号１０４は、プリピットが存在する部分でレベルが小さくなり、プリピットが存在しない部分で高いレベルになる。
記録膜が変質されて垂直磁気異方性を喪失した部分１２７、１２８においても、加算信号１０４は高いレベルである。
プリフォーマットデータ領域１１１にはプリピットによるデータと記録膜が変質されて垂直磁気異方性を喪失した部分と正常な部分とによって形成されたデータが存在するにもかかわらず、加算信号（デジタル信号）１０５はプリピットによるデータのみを表している。同様に、制御用のプリピットからの再生信号も得られる。
従って、プリピットによるデータと記録膜が変質されて垂直磁気異方性を喪失した部分等により形成されたデータとが混在して記録されているにもかかわらず、プリピットによるデータ及び制御用のプリピットからの信号を再生することが出来る。
２値化器２０７の出力信号は、スタートピット検出器２１０及び位相比較器２１２に伝送される。
スタートピット検出器２１０は、２値化器２０７の出力信号を入力し、各セグメントのスタートピットを検出する。
光ピックアップがプリフォーマットデータ領域１１１を照射し、光ディスク１０１が一定の速度で回転をしているとする。
セグメント０の第３の再生専用データ領域１１７はプリピットを有していない故に、光ピックアップが当該第３の再生専用データ領域１１７を通過する時、加算信号１０５は最も長い期間ハイレベルになる。従って、ハイレベルが最も長く続く区間を検出することにより当該第３の再生専用データ領域１１７の位置（セグメント０の位置）を検出することが出来る。即ち、セグメント１のスタートピットの立ち上がり位置を特定することが出来る。
各セグメントの大きさは一定である故に、セグメント１のスタートピットの立ち上がりを起点に隣接するスタートピットの位置を予測できる。そこで、セグメント１のスタートピットの立ち上がりを起点にセグメント２のスタートピットのウインドウ信号を生成し、当該ウインドウ信号と２値化器２０７の出力信号とのＡＮＤ論理出力を取る（図示していない。）。これによりセグメント２のスタートピットの立ち上がり位置を検出することが出来る。これを繰り返すことにより、１２８０個のセグメントのスタートピットの立ち上がり位置を特定することが出来る。
スタートピット検出器２１０は、各セグメントのスタートピットの出力信号を出力し、当該スタートピットの出力信号をエッジウインドウ生成器２１１、並びにウインドウ生成器２１６、２１８及び２１９に伝送する。
同時に、セグメント０を起点に各セグメントのアドレスを特定することが出来る。
エッジウインドウ生成器２１１は、当該スタートピットの出力信号を入力し、当該スタートピットの出力信号を中に含むウインドウ信号を生成する。
ＶＣＯ２１３は、発振出力信号を出力し、当該発振出力信号を分周器２１４に伝送する。分周器２１４は当該発振出力信号を入力し、分周し、第１の分周信号及び第２の分周信号を出力する。
第１の分周信号はスタートピットと同じ周波数（光ディスク１回転当たり１２８０パルス）を有する信号であり、第２の分周パルスは、第１の分周パルスの５１２倍の周波数を有する。
第１の分周信号は、位相比較器２１２に伝送される。
第２の分周信号は、ウインドウ生成器２１６、２１８及び２１９に伝送される。
位相比較器２１２は、２値化器２０７の出力信号、第１の分周信号及びエッジウインドウ生成器２１１が出力するウインドウ信号を入力する。
位相比較器２１２は、ウインドウ生成器２１１が出力するウインドウ信号のハイ期間に２値化器２０７の出力信号と第１の分周信号とを比較し、誤差信号を出力する。当該誤差信号はＶＣＯ２１３にフィードバックされる。
上記の回路構成により、第１の分周信号はスタートピットの出力信号にサーボロックする。
ウインドウ生成器２１６は、スタートピットの出力信号と第２の分周信号とを入力し、ウォブルピット１２２の出力信号１４３（図１）を含むウインドウ信号をスタートピットの立ち上がりエッジを基準にして生成する。ウインドウ信号は、最小値レベル検出器２１５に入力される。
最小値レベル検出器２１５は、ウインドウ生成器２１６が出力するウインドウ信号と加算信号（アナログ信号）とを入力し、当該ウインドウ信号によって特定される期間内で加算信号（アナログ信号）の最小電圧を検出し、当該最小電圧を保持し、出力する。
ウインドウ生成器２１８は、スタートピットの出力信号と第２の分周信号とを入力し、ウォブルピット１２３の出力信号１４４（図１）を含むウインドウ信号をスタートピットの立ち上がりエッジを基準にして生成する。ウインドウ信号は、最小値レベル検出器２１７に入力される。
最小値レベル検出器２１７は、ウインドウ生成器２１８が出力するウインドウ信号と加算信号（アナログ信号）とを入力し、当該ウインドウ信号によって特定される期間内で加算信号（アナログ信号）の最小電圧を検出し、当該最小電圧を保持し、出力する。
減算器２２１は、最小値レベル検出器２１５、２１７が出力する最小値を入力し、両者の差分を計算し、差分を出力する。
光ピックアップが記録トラック領域１０３の中央に位置していれば、減算器２２１の出力信号は０Ｖに近いが、例えば光ピックアップが記録トラック領域１０３の中央よりウォブルピット１２２に近づいていれば、ウォブルピット１２２の出力信号は小さくなり、ウォブルピット１２３の出力信号は大きくなる。逆に、光ピックアップが記録トラック領域１０３の中央よりウォブルピット１２３に近づいていれば、ウォブルピット１２２の出力信号は大きくなり、ウォブルピット１２３の出力信号は小さくなる。
そこで、減算器２２１の出力信号をトラッキング制御にフィードバックすることにより、光ピックアップが記録トラック領域１０３の中央に位置させることが出来る（公知のサンプリングサーボ方式）。
又、スタートピットの出力信号と第２の分周信号とから生成した他のウインドウ信号により、アドレスピットを検出する（図示していない。）。
後述する方法により、１ビットのアドレスピットを利用して、各セグメントのアドレスを特定することが出来る。
又、スタートピットの出力信号と第２の分周信号とから生成した更に他のウインドウ信号により、第２の再生専用データ領域１１５に記録されたデータ（プリピットで形成されたデータ）を検出する（図示していない。）。
次に、ウインドウ生成器２１９は、スタートピットの出力信号と第２の分周信号とを入力し、スタートピットの立ち上がりエッジを基準にしてウインドウ信号１０８（図１）を生成する。当該ウインドウ信号は、スタートピットの再生信号を基準に、磁気異方性の大小に基づくデータのみが記録されている領域（この範囲においては、プリピットの再生信号が出力されない。）を有効期間とする信号である。
ＡＮＤゲート２２０は、２値化器２０８の出力信号３０４とウインドウ信号１０８（図１）とを入力し、１０９を出力する。ウインドウ信号１０８によりプリピットに基づくデータが除去され、ＡＮＤゲート２２０の出力信号は記録膜が変質された部分に基づくデータのみを含む。
再生回路（図示していない。）は、スタートピットに位相同期させたＶＣＯ（図示していない。）の出力信号であるクロックを用いて、光ディスクに記録されたデータ（プリピットデータ及び記録膜を劣化させたデータ）を再生する。
図４は、フェイズエンコーディング方式（（ａ）、（ｂ）、（ｃ））及び位相変調方式（（ｄ）、（ｅ）、（ｆ））のデータ記録方式を図示する。
実施例１においては、第１の再生専用データ領域、第２の再生専用データ領域及び第３の再生専用データ領域に記録されたデータは、フェイズエンコーディング方式によりエンコーダされており、他の実施例においては第１の再生専用データ領域等に記録されたデータは、位相変調方式によりエンコーダされている。
図４において、（ａ）は光ディスクから再生しフェイズエンコーディング方式の信号波形（コーディング後のデータの波形）を示す。フェイズエンコーディング方式の信号の１ビット当たりのデータ期間Ｔは（ｃ）で区切られた期間である。
フェイズエンコーディング方式においては、コーディング後のデータはそれぞれのデータ期間Ｔの両端で必ず変化する。
入力したデータが０であれば、それぞれのデータ期間Ｔの間、コーディング後のデータは一定に保たれる（コーディング後のデータは０であっても１であってもよい）。
入力したデータが１であれば、それぞれのデータ期間Ｔの真中で（Ｔ／２の位置）、コーディング後のデータが変化する（コーディング後のデータは０から１に変化しても良く、１から０に変化しても良い。）。
図４（ａ）の信号（コーディング後）を再生した場合、（ｂ）でＴ／２を単位としてデータを読み取る。データ期間Ｔの両端で必ずデータは
変化する故、データからクロックを生成するのは容易である。
データ期間Ｔの間データが変化しなければ、デコード後のデータ（元の入力データ）は０である。
データ期間Ｔの真中でデータが変化していれば、デコード後のデータ（元の入力データ）は１である。
デコード後のデータを、図４（ｃ）に示す。
位相変調方式のデータを、図４（ｄ）、（ｅ）、（ｆ）を用いて説明する。
（ｄ）は光ディスクから再生した位相変調方式の信号波形（コーディング後のデータの波形）を示す。
それぞれのデータは、データ期間Ｔごとに記録されている。
データ期間Ｔを３分割した３個のＴ／３の期間を見ると（ｅ）、最初のＴ／３の期間のデータは必ず１であり、最後のＴ／３の期間のデータは必ず０である。
入力したデータが０であれば、真中のＴ／３の期間のデータは０である。
入力したデータが１であれば、真中のＴ／３の期間のデータは１である。
図４（ｄ）の信号（コーディング後）を再生した場合、（ｅ）でＴ／３を単位としてデータを読み取る。データ期間Ｔの最後で必ずデータは０から１に変化する故、データからクロックを生成するのは容易である。
真中のＴ／３の期間のデータが０であればデコード後のデータ（元の入力データ）は０であり、真中のＴ／３の期間のデータが１であればデコード後のデータ（元の入力データ）は１である。
デコード後のデータを、図４（ｆ）に示す。
図１２（ａ）は、実施例の光ディスクの通常のデータ領域（記録膜の磁化の方向に基づいてデータを記録する領域）の構造を模式的に図示する。
図１２（ａ）において、１０１は光ディスク、１２０１は第１の記録トラック領域、１２０２は第１の記録トラック領域に隣接する第２の記録トラック領域、１２０３は第１の記録トラック領域１２０１及び第２の記録トラック領域１２０２を１２８０個に分割したセグメント、１２０４はスタートピット、トラッキング用のサーボピットとディスクの位置情報を表すアドレスピットを含んだ制御領域である。
図示するように、第１の記録トラック領域１２０１及び第２の記録トラック領域１２０２は、それぞれ制御領域１２０４を起点及び終点にする螺旋状の領域であって、光磁気ディスクの内周から外周に向かって螺旋状の記録トラック領域を辿った場合に、第２の記録トラック領城１２０２が制御領域１２０５で終了し、第２の記録トラック領域１２０２が終了した所（制御領域１２０５）から、第１の記録トラック領域１２０１が始まる。
図１２（ａ）において、光磁気ディスクは直径約５０ｍｍの円盤であるが、第１の記録トラック領域１２０１及び第２の記録トラック領域１２０２のトラックピッチは約０．６μｍである。光磁気ディスクのフォーマット構成の説明を目的とする図１２（ａ）においては、光磁気ディスク全体の大きさに較べて、相互に隣接する第１の記録トラック領域１２０１及び第２の記録トラック領域１２０２を著しく拡大して表示している。
実施例の光磁気ディスクは、記録再生に用いられる光スポットの光学定数を、光波長６６０ｎｍ、集光レンズのＮＡ０．６を想定して作られている。この場合の光ビームの半値幅はλ／（２・ＮＡ）＝約０．６μｍとなる。
図１２（ｂ）に制御領域１２０４等の拡大図を示す（光磁気ディスクの平面図の拡大図）。
図１２（ｂ）において、１２０３はセグメント（１個の記録トラック領域と１個の制御領域により構成されている。）、１２０４は制御領域、１２０７の長さを有する１２０８はデータの記録を行う記録トラック領域（データ記録領域）である。
制御領域１２０４は、スタートピット１２１、トラッキング信号を検出するためのウォブルピット１２２、１２３、光磁気ディスク上の位置情報を表すアドレス情報を１ビットづつセグメントの最初に分散的に配置したアドレスピット１２４を有する（プリフォーマットデータ領域１１１の制御領域と同じ構造である。又、図１３の説明は、プリフォーマットデータ領域１１１の制御領域も含めた説明である。）。
実施例１の光ディスクは、サンプルサーボ方式によるトラッキングサーボ用のウォブルピット１２２及び１２３を隣接のトラックで共用して有している。
実施例の光磁気ディスクは、螺旋状に形成された記録トラック領域１２０１、１２０２等を有し、さらに各記録トラック領域１２０１、１２０２等は放射線状に（光磁気ディスクの半径方向に）整列して設けられた制御領域１２０４により、それぞれ１２８０個のセグメント１２０３に分割されている。従って、光磁気ディスクの中心を原点とする角座標で表した場合に、記録トラック領域が位置する原点からの距離にかかわらず、制御領域は光磁気ディスク上に３６０度／１２８０個＝０．２８１２５度毎に設けられている。
１個のセグメント１２０３は１個の制御領域１２０４と１個のデータ記録領域１２０８とを有する。
このような構成に基づいて、トラッキング極性の異なった（ウォブルピット１２２及び１２３が記録トラック領域の延長線の左右に位置するものと、反対に右左に位置するものとがある。）第１の記録トラック領域１２０１と第２の記録トラック領域１２０２とが１周ごとに交互に形成される。
光ビームが、切り替わりセグメントは、図１２（ｃ）に示すような構造となっている。図示したように、この切り替わり点のセグメント１２０６の記録トラック領域の左右の制御領域１２０４でウォブルピット１２２と１２３との前後関係が反転する。これによって第２のトラック１２０２から第１のトラック１２０１に切り替わる。これが交互に繰り返されて第１のトラック１２０１と第２のトラック１２０２が連続的に配置される。
また、アドレスピット１２４は、その有無でアドレスデータの１ビットを表す。これは、本出願の発明者の発明による分散アドレスフォーマット（特願平１１−０２１８８５、特願平１１−３２９２６５）に対応している。
この分散アドレスフォーマットについて図１３を用いて簡単に説明する。
光磁気ディスクを１周するトラックは１２８０セグメントに分割されており、１２８０セグメントの各制御領域には、それぞれ１ビットのアドレスビットが割り当てられている（アドレスピットが有るか又は無い。）。
ディスク１周中の１２８０のセグメント１２０３を１６個に分割し、１２８０／１６＝８０ｂｉｔのアドレスを単位とするアドレス情報（アドレスピットの有無による情報）を生成する。
８０ｂｉｔのアドレス情報は、１０ｂｉｔのセグメント番号情報（回転方向の位置情報）１３０１、１４ｂｉｔのセグメント番号情報のエラー検出コード１３０２、１４ｂｉｔの奇数トラック１２０１のトラック番号情報（記録トラック領域のトラック番号）１３０３、１４ｂｉｔの奇数トラックのトラック番号情報のＢＣＨ符号化されたエラー訂正情報１３０４、１４ｂｉｔの偶数トラック１２０２のトラック番号情報１３０５、１４ｂｉｔの偶数トラックのトラック番号情報のＢＣＨ符号化されたエラー訂正情報１３０６を含む。
セグメント情報により、光磁気ディスクの角度情報を得ることが出来る。
セグメント番号情報１３０１及びセグメント番号情報のエラー検出コード１３０２は、それぞれ半径方向に整列している。１周ごとに１６個配置されたセグメント番号情報は１６個のセグメント番号を表示する。１６個のセグメントを起点としてセグメントの数を勘定することにより、他のセグメントのセグメント番号を特定することが出来る。）。
又、最内周トラックから最外周トラックまで半径方向に整列した隣接して並んでいるセグメントは同じセグメント番号情報１３０１及びセグメント番号情報のエラー検出コード１３０２を有する故に、トラッキング制御をかけていなくても（例えばシーク中であっても）、セグメント番号情報を検出することが出来る。
従って、トラッキング制御をかけていない状態でも、切り替わり点の制御領域１２０４を検出することが出来る。
トラッキング制御を行いトラック番号１３０３、１３０５を読み出すことにより半径方向の位置情報を得る。このトラック番号１３０３、１３０５はディスクのシーク等の検索情報として用いられる。
奇数トラック１２０１のトラック番号情報１３０３及び奇数トラックのトラック番号情報のエラー訂正情報１３０４が存在する制御領域においては、隣接する制御領域に偶数トラック１２０２のトラック番号情報１３０５及び偶数トラックのトラック番号情報のエラー訂正情報１３０６がない。同様に、偶数トラック１２０２のトラック番号情報１３０５及び偶数トラックのトラック番号情報のエラー訂正情報１３０６が存在する制御領域においては、隣接する制御領域に奇数トラック１２０１のトラック番号情報１３０３及び奇数トラックのトラック番号情報のエラー訂正情報１３０４が存在しない。
１周１６個のアドレス情報において、上記の奇数トラック１２０１のトラック番号情報１３０３等を有するアドレス情報と偶数トラック１２０２のトラック番号情報１３０５等を有するアドレス情報とが、交互に８個ずつ配置されている。
これにより、隣接するトラック間のクロストークによりトラック番号を誤って読み取ることを防止することが出来る。又、完全にオントラック出来ない状態においても、正確にトラック番号を読むことが出来る。
本発明の光磁気ディスクは、１周ごとにトラッキング制御の極性が変化する故に光磁気ディスク上の光ピックアップの位置を検出してトラッキング極性を適切に反転させる制御が必要となるが、このためのタイミング制御はアドレスデータ（セグメント番号情報１３０１とセグメント番号情報のエラー検出コード１３０２）を検出して行われる。
図５に、本発明の光ディスクの製造方法を図示する。
ディスク工場５０１では、光ディスクを製造し（工程１　５０２）、且つ各光ディスク毎に製造シリアル番号を書き込む（工程２　５０８）。
完成した光ディスクの一部は直接ユーザ５１４に販売される。他の一部の光ディスクはコンテンツのダビングメーカ５１１に販売される。コンテンツのダビングメーカ５１１は、光ディスクにコンテンツ（例えば映画）を記録し（工程３　５１２）、ダビングメーカとしてのシリアル番号及び不正コピー防止の暗号等を書き込む（工程４　５１３）。
工程１（５０２）においては、最初に原盤を作成する（５０３）。スタートピット、ウォブルピット及びアドレスピット、並びに例えば１個の原盤から作成される光ディスクに共通のプリフォーマットデータ（例えば原盤の番号等の第１の再生専用データ領域１１５に記録されるデータ等）はプリピットで記録される。プリピットは、原盤生成工程の中のレーザを原盤に照射する工程において形成される。
次に、原盤からスタンパが生成され、スタンパから光ディスク基板が成形される（５０４）。原盤に形成されたプリピットが光ディスク基板上にも生成される。
次に、光ディスク基板上に記録膜を生成する（５０５）。
次に、記録膜上にオーバーコート層を作成する（５０６）。
上記の製造方法により無記録の光ディスク５０７が完成する（プリピットデータは既に書き込まれている。）。
工程２（５０８）においては、第２の再生専用データ領域１１６又は第３の再生専用データ領域１１７にアクセスした光ピックアップから記録膜を部分的に変質させる程度の強さ（ただし記録膜の反射率は変化しない程度）のレーザ光を照射して、ディスク工場でのシリアル番号等のデータを記録する。この時記録装置は、光ディスク上に設けられたスタートピット、ウォブルピット及びアドレスピットに基づいて光ピックアップを位相制御及びトラッキング制御する。位相制御及びトラッキング制御の方法は、再生装置（図２）と同様である。記録するデータは、スタートピットに位相同期させたＶＣＯの出力信号であるクロックを用いて記録する。これにより、記録装置は、プリフォーマットデータを正確にトラック上に記録することが出来る。
ユーザ５１４に直接販売する光ディスクについては、工程２（５０８）において、第２の再生専用データ領域１１６及び第３の再生専用データ領域１１７の記録膜を全て変質させる。これにより、不正コピー業者が当該光ディスクを使って不正な海賊版の光ディスクを製造し、正規の光ディスクの第２の再生専用データ領域及び第３の再生専用データ領域に書き込まれているデータと混同を生じるようなデータを当該第２の再生専用データ領域及び第３の再生専用データ領域に記録することが出来ない。このようにして、不正コピーの光ディスクを正規の品と識別することが出来、著作権の保護を図ることが出来る。
コンテンツのダビングメーカ５１１は、光ディスク工場から光ディスクを購入する。
工程３（５１２）において、光ピックアップを通常のデータ領域（図１の１１３）にアクセスさせ、レーザ光を照射し、記録トラック領域を磁化してコンテンツ（例えば、映画、スポーツ、音楽、ゲームソフト、地図、ソフトウエアプログラム等）を記録する。レーザ光の強さは記録膜を磁化するに必要な強さに設定してある。
工程４（５１３）において、第２の再生専用データ領域１１６又は第３の再生専用データ領域１１７にアクセスした光ピックアップから記録膜を部分的に変質させる程度の強さ（ただし記録膜の反射率は変化しない程度）のレーザ光を照射して、ダビングメーカでのシリアル番号等のデータを記録する。
工程４においてデータを記録する領域は、工程２（５０８）においてデータを記録した領域と異なる領域を使用することも可能であり、また上記工程２を経ないディスクをコンテンツのダビングメーカーが購入し、上記シリアル番号等を工程４で記録する場合は、同一領域を使用してもよい。
完成した光ディスクが、ユーザ５１４に販売される。
実施例１においては、プリフォーマットデータ領域１１１のプリピット領域１１４（図１）と、通常のデータ領域のプリピット領域１２０４（図１２）とは、異なる構成を有する。
他の実施例においては、通常のデータ領域及びプリフォーマットデータ領域のの制御用のプリピット領域の構成が同一である。プリフォーマットデータ領域も含めて図１２の構成を有する。即ち、プリフォーマットデータ領域は、通常のデータ領域と同一のトラック幅、相似形状のセグメント、相似形状の制御用プリピット領域（図１２の１２０４）を有する。これにより、ディスク装置は、通常のデータ領域における方法と同様の方法によりプリフォーマットデータ領域において光ピックアップの位相制御又はトラッキング制御等をすることが出来る。
《実施例２》
図６及び図７を参照しながら、実施例２の光ディスク及び光ディスクの再生装置（再生方法）を説明する。
実施例２の光ディスクは、基本的な構成は実施例１の光ディスクと同じである。実施例１の光ディスクにおいては、記録膜を変質させて形成したデータが、プリピットがない第２の再生専用データ領域１１６及び第３の再生専用データ領域１１７に設けられていた。
これに対して、実施例２の光ディスクにおいては、記録膜を変質させて（記録膜が垂直磁気異方性を喪失している。）形成したデータが、プリピットが設けられているデータ領域（第１の再生専用データ領域、及びスタートピット、ウォブルピット、アドレスピットが設けられた領域（プリフォーマットデータ領域１１１及び通常のデータ領域１１３のいずれに位置する領域であっても良い。））に重ね書きされている。
以下、実施例２の光ディスク及び光ディスクの再生装置（再生方法）の上記の特有の部分について説明する。実施例１と同じ部分については、説明を省略する。
図６において、６０１は、プリピットによるデータ６２１、６２２と、記録膜を変質させたデータ６２３、６２４とを重ね書きした実施例２の光ディスクの記録パターンの一部を示す。
６０１において、プリピットによるデータと記録膜を変質させたデータとは、それぞれフェイズエンコーディング方式でエンコードされて記録されている。
プリピットによるデータの１ビットのデータのマーク長（１ビット当たりの長さ）をＢとすると、短いプリピット６２１はＢ／２の長さを有し、長いプリピット６２２は、Ｂの長さを有する。
一方、記録膜を変質させたデータの１ビットのデータのマーク長をＣとすると、短い記録膜が変質した部分６２４はＣ／２の長さを有し、長い記録膜が変質した部分６２３は、Ｃの長さを有する。Ｃ＝４Ｂの長さを有する。
スプリッタによって分離された２個の光成分の出力信号を加算した加算信号（デジタル信号）６０２は、図２の２値化器２０７の出力信号に相当する。従って、加算信号６０２は、記録膜が変質されているか否かによって影響されず、プリピットに対応する出力信号となる。Ｂ／２を単位とする加算信号の値を６０３に示す。これをデコードして元の信号６０４が得られる。
スプリッタによって分離された２個の光成分の出力信号を減算した差分信号６０５は、図２の２値化器２０８の出力信号に相当する。
差分信号６０５に基づいて元のデータ６１１を得る方法を、図７の実施例２の光ディスクの再生装置を参照しながら説明する。
実施例２において、通常のデータ領域１１３は、プリフォーマットデータ領域１１１と同様に１２８０個のセグメントに分割されている。各セグメントは、データ領域とプリフォーマットデータ領域１１１と同様の制御領域１１４とを有する。従って、制御領域１１４はスタートピット、２個のウォブルピット及びアドレスピットを有する。
図７は、実施例２の光ディスク及び光ディスクの再生装置の概略的な構成を示す。
図７において、加算信号６０２はスタートピット検出器７０１に入力される。スタートピット検出器７０１は、実施例１と同様の方法により各セグメントのスタートピットを検出し、スタートピットの出力信号を出力する。
スタートピットの出力信号はエッジウインドウ生成器７０２に入力される。エッジウインドウ生成器７０２は、スタートピットの立ち上がりエッジを含むウインドウ信号を生成し、出力する。
電圧制御型発振器（ＶＣＯ）７０４の出力信号は分周器７０５に入力される。
分周器７０５は、ＶＣＯ７０４の出力信号を分周した第１の分周信号を出力する。
位相比較器７０３は、エッジウインドウ生成器７０２が出力するウインドウの中で、加算信号（デジタル信号）と第１の分周信号とを位相比較し、誤差信号を出力する。
誤差信号はＶＣＯ７０４にフィードバックされる。
上記の構成は実施例１（図２）と同じである。
加算信号６０２は、スタートピットの出力信号と分周器の出力信号とによって生成されたプリピットデータのウインドウ信号と論理積（ＡＮＤ）を取った後（図示していない。）、バイフェイズマークのデコーダ（遅延器７０６、排他的論理和７０７及びＤフリップフロップ７１４を含む。図７には概略的な構成を示す。）によってデコードされる。
加算信号６０２、６０３は遅延器７０６によってＢ／２の時間遅延され、それに続く加算信号６０２、６０３と排他的論理和を取られる（７０７）。Ｄフリップフロップ７１４は、排他的論理和７０７の出力信号を入力し、期間Ｂのインターバルを有するクロックパルスによってラッチする。このようにしてバイフェイズマークがデコードされる。
又、分周器６０６は、Ｂ／２をインターバルとするパルス６０６を出力する。遅延器７０８はパルス６０６を入力し、遅延したパルス６０７を出力する。パルス６０７の立ち上がりエッジは期間Ｂ／２の真中に存在する。
ＡＮＤゲート７０９は、加算信号６０２とパルス６０７の論理積を取る。即ち、加算信号（アナログ信号）のレベルが一定以下になった部分６０２（プリピットの存在する部分）からの再生信号６０７を除去する。出力されるパルス６０８は、プリピットが存在する部分のパルスが欠落している。
Ｄフリップフロップ７１０は、データ入力端子Ｄに差分信号６０５を入力し、クロック入力端子ＣＬＫにパルス６０８を入力する。
好ましくは、差分信号６０５は、スタートピットの出力信号と分周器の出力信号とによって生成されたウインドウ信号（記録膜を変質させることによって形成されたデータが記録されている領域を指定する信号である。）との論理積（ＡＮＤ論理）回路を通す（図示していない。）。これにより、不要なノイズを排除することが出来る。
Ｄフリップフロップ７１０は、プリピットが存在しない部分の差分信号を出力する。出力信号の波形を６０９に示す。
シフトレジスタ７１１は、Ｄフリップフロップ７１０の出力信号をデータ入力端子Ｄに入力し、パルス６０６をクロック入力端子ＣＬＫに入力する。シフトレジスタ７１１は、プリピットの存在により欠落したデータをその前のデータで補ったデータ６１０を出力する。
データ６１０は、バイフェイズマークのデコーダ（遅延器７１２、排他的論理和７１３及びＤフリップフロップ７１５を含む。図７には概略的な構成を示す。）によってデコードされる。
データ６１０は遅延器７１２によってＣ／２の時間遅延され、それに続くデータ６１０と排他的論理和を取られる（７１３）。Ｄフリップフロップ７１５は、排他的論理和７１３の出力信号を入力し、期間Ｃのインターバルを有するクロックパルスによってラッチする。このようにしてバイフェイズマークがデコードされる。
上記の方法により、重ね書きされたプリピットデータと、記録膜が変質されることによって形成されたデータとが、分離され、デコードされる。
《実施例３》
図８及び図９を参照しながら、実施例３の光ディスク及び光ディスクの再生装置（再生方法）を説明する。
実施例３の光ディスクは、基本的な構成は実施例１の光ディスクと同じである。実施例１の光ディスクにおいては、記録膜を変質させて（記録膜が垂直磁気異方性を喪失している。）形成したデータが、プリピットがない第２の再生専用データ領域１１６及び第３の再生専用データ領域１１７に設けられていた。
これに対して、実施例３の光ディスクにおいては、記録膜を変質させて形成したデータが、プリピットが設けられているデータ領域（第１の再生専用データ領域、及びスタートピット、ウォブルピット、アドレスピットが設けられた領域（プリフォーマットデータ領域１１１及び通常のデータ領域１１３のいずれに位置する領域であっても良い。））に重ね書きされている。
実施例２の光ディスクにおいては、記録膜を変質させて形成したデータのマーク長がプリピットによるデータのマーク長よりも長い。
実施例３の光ディスクにおいては、プリピットによるデータのマーク長が記録膜を変質させて形成したデータのマーク長よりも長い。
以下、実施例３の光ディスク及び光ディスクの再生装置（再生方法）の上記の特有の部分について説明する。実施例１と同じ部分については、説明を省略する。
図８において、８０１は、プリピットによるデータ８２１、８２２と、記録膜を変質させたデータ８２３、８２４とを重ね書きした実施例３の光ディスクの記録パターンの一部を示す。
８０１において、プリピットによるデータと記録膜を変質させたデータとは、それぞれフェイズエンコーディング方式でエンコードされて記録されている。
記録膜を変質させたデータの１ビットのデータのマーク長をＤとすると、短い記録膜が変質した部分８２３はＤ／２の長さを有し、長い記録膜が変質した部分８２４はＤの長さを有する。
プリピットによるデータの１ビットのデータのマーク長（１ビット当たりの長さ）をＥとすると、短いプリピット８２１はＥ／２の長さを有し、長いプリピット８２２は、Ｅの長さを有する。Ｅ＝４Ｄの長さを有する。
もっとも、実施例３の光ディスクにおいては、記録膜を変質させたデータが記録されている部分はプリピットがない部分に限られている故に、一定長のプリフォーマットデータ領域に記録される記録膜を変質させたデータの量は、プリピットデータの値によって変動する。
スプリッタによって分離された２個の光成分の出力信号を加算した加算信号（デジタル信号）８０２は、図２の２値化器２０７の出力信号に相当する。従って、加算信号８０２は、記録膜が変質されているか否かによって影響されず、プリピットに対応する出力信号となる。Ｅ／２を単位とする加算信号の値を８０３に示す。これをデコードして元の信号８０４が得られる。
スプリッタによって分離された２個の光成分の出力信号を減算した差分信号８０５は、図２の２値化器２０８の出力信号に相当する。
差分信号８０５に基づいて元のデータ８１１を得る方法を、図９の実施例３の光ディスクの再生装置を参照しながら説明する。
実施例３において、通常のデータ領域１１３は、プリフォーマットデータ領域１１１と同様に１２８０個のセグメントに分割されている。各セグメントは、データ領域とプリフォーマットデータ領域１１１と同様の制御領域１１４とを有する。従って、制御領域１１４はスタートピット、２個のウォブルピット及びアドレスピットを有する。
図９は、実施例３の光ディスク及び光ディスクの再生装置の概略的な構成を示す。図９の実施例３の光ディスクの再生装置の構成は、一部のクロックが異なること等を除けば、図７の実施例２の光ディスクの再生装置によく似ている。
図９において、加算信号８０２はスタートピット検出器９０１に入力される。スタートピット検出器９０１は、実施例１と同様の方法により各セグメントのスタートピットを検出し、スタートピットの出力信号を出力する。
スタートピットの出力信号はエッジウインドウ生成器９０２に入力される。エッジウインドウ生成器９０２は、スタートピットの立ち上がりエッジを含むウインドウ信号を生成し、出力する。
電圧制御型発振器（ＶＣＯ）９０４の出力信号は分周器９０５に入力される。
分周器９０５は、ＶＣＯ９０４の出力信号を分周した第１の分周信号を出力する。
位相比較器９０３は、エッジウインドウ生成器９０２が出力するウインドウの中で、加算信号（デジタル信号）８０２と第１の分周信号とを位相比較し、誤差信号を出力する。
誤差信号はＶＣＯ９０４にフィードバックされる。
上記の構成は実施例１（図２）と同じである。
加算信号８０２、８０３は、スタートピットの出力信号と分周器の出力信号とによって生成されたプリピットデータのウインドウ信号と論理積（ＡＮＤ）を取った後（図示していない。）、バイフェイズマークのデコーダ（遅延器９０６、排他的論理和９０７及びＤフリップフロップ９０８を含む。図９には概略的な構成を示す。）によってデコードされる。
加算信号８０２、８０３は遅延器９０６によってＥ／２の時間遅延され、それに続く加算信号８０２、８０３と排他的論理和を取られる（９０７）。Ｄフリップフロップ９０８は、排他的論理和９０７の出力信号を入力し、期間Ｅのインターバルを有するクロックパルスによってラッチする。このようにしてバイフェイズマークがデコードされる。
又、分周器９０５は、Ｄ／２をインターバルとするパルス８０６を出力する。
ＡＮＤゲート９０９は、加算信号８０２とパルス８０６の論理積を取る。即ち、加算信号（アナログ信号）のレベルが一定以下になった部分８０２（プリピットの存在する部分）からの再生信号８０６を除去する。出力されるパルス８０７は、プリピットが存在する部分のパルスが欠落している。
遅延器７０８はパルス８０７を入力し、遅延したパルス８０８を出力する。パルス８０８の立ち上がりエッジは期間Ｄ／２の真中に存在する。
Ｄフリップフロップ９１２は、データ入力端子Ｄに差分信号８０５を入力し、クロック入力端子ＣＬＫにパルス８０８を入力する。
好ましくは、差分信号８０５は、スタートピットの出力信号と分周器の出力信号とによって生成されたウインドウ信号（記録膜を変質させることによって形成されたデータが記録されている領域を指定する信号である。）との論理積（ＡＮＤ論理）回路を通す（図示していない。）。これにより、不要なノイズを排除することが出来る。
Ｄフリップフロップ９１２は、プリピットが存在しない部分の差分信号を出力する。出力信号の波形を８０９に示す。
Ｄフリップフロップ９１３、９１４はシフトレジスタを構成する。Ｄフリップフロップ９１３、９１４はデータ入力端子ＤにＤフリップフロップ９１２、９１３の出力信号（Ｑ）を入力し、クロック入力端子ＣＬＫにパルス８０７を入力する（インターバルはＤ／２）。Ｄフリップフロップ９１３、９１４はプリピットがない部分のデータ８０９を出力する。
１／２分周器９１１は、パルス８０７を入力し、１／２に分周する。分周信号はＤフリップフロプ９１６のクロック入力端子に入力される。
１クロック（Ｄ／２の期間）前後するデータ８０９が排他的論理和９１５を通る。Ｄフリップフロップ９１６は、１／２分周器９１１の出力信号をクロックとして、排他的論理和９１５の出力信号をラッチする。このようにして記録膜を変質させて形成したデータであるバイフェイズマークがデコードされる。
上記の方法により、重ね書きされたプリピットデータと、記録膜が変質されることによって形成されたデータとが、分離され、デコードされる。
《実施例４》
図１０及び図１１を参照しながら、実施例４の光ディスク及び光ディスクの再生装置（再生方法）を説明する。
実施例４の光ディスクは、基本的な構成は実施例１の光ディスクと同じである。実施例１の光ディスクにおいては、プリフォーマットデータがフェイズエンコーディング方式でエンコードされ記録されており、且つマーク記録膜を変質させて形成したデータが、プリピットがない第２の再生専用データ領域１１６及び第３の再生専用データ領域１１７に設けられていた。
これに対して、実施例４の光ディスクにおいては、プリピットデータが位相変調方式により記録されており（図４参照）、且つ記録膜を変質させて（記録膜が垂直磁気異方性を喪失している。）形成したデータ（０又は１のＲＺ符号化方式でエンコードされている。）が、プリピットが設けられているデータ領域（第１の再生専用データ領域、及びスタートピット、ウォブルピット、アドレスピットが設けられた領域（プリフォーマットデータ領域１１１及び通常のデータ領域１１３のいずれに位置する領域であっても良い。））に重ね書きされている。
以下、実施例４の光ディスク及び光ディスクの再生装置（再生方法）の上記の特有の部分について説明する。実施例１と同じ部分については、説明を省略する。
図１０において、１００１は、プリピットによるデータ１０１１、１０１２と、記録膜を変質させたデータ１０１３とを重ね書きした実施例４の光ディスクの記録パターンの一部を示す。
１００１において、プリピットによるデータが位相変調方式によりエンコードされており、記録膜を変質させたデータがＲＺ符号化方式でエンコードされている。
プリピットによるデータの１ビットのデータのマーク長（１ビット当たりの長さ）をＦとすると、短いプリピット１０１１はＦ／３の長さを有し、長いプリピット１０１２は、２Ｆ／３の長さを有する。
記録膜を変質させたデータ１０１３は、Ｆ／３の長さを有する。
スプリッタによって分離された２個の光成分の出力信号を加算した加算信号（デジタル信号）１００２は、図２の２値化器２０７の出力信号に相当する。従って、加算信号１００２は、記録膜が変質されているか否かによって影響されず、プリピットに対応する出力信号となる。
スプリッタによって分離された２個の光成分の出力信号を減算した差分信号１００５は、図２の２値化器２０８の出力信号に相当する。
実施例４において、通常のデータ領域１１３は、プリフォーマットデータ領域１１１と同様に１２８０個のセグメントに分割されている。各セグメントは、データ領域とプリフォーマットデータ領域１１１と同様の制御領域１１４とを有する。従って、制御領域１１４はスタートピット、２個のウォブルピット及びアドレスピットを有する。
図１１は、実施例４の光ディスクの再生装置の概略的な構成を示す。
図１１において、加算信号１００２はスタートピット検出器１１０１に入力される。スタートピット検出器１１０１は、実施例１と同様の方法により各セグメントのスタートピットを検出し、スタートピットの出力信号を出力する。
スタートピットの出力信号はエッジウインドウ生成器１１０２に入力される。エッジウインドウ生成器１１０２は、スタートピットの立ち上がりエッジを含むウインドウ信号を生成し、出力する。
電圧制御型発振器（ＶＣＯ）１１０４の出力信号は分周器１１０５に入力される。
分周器１１０５は、ＶＣＯ１１０４の出力信号を分周した第１の分周信号を出力する。
位相比較器１１０３は、エッジウインドウ生成器１１０２が出力するウインドウの中で、加算信号（デジタル信号）１１０２と第１の分周信号とを位相比較し、誤差信号を出力する。
誤差信号はＶＣＯ１１０４にフィードバックされる。
上記の構成は実施例１（図２）と同じである。
データウインドウ生成器１１０６は、スタートピットの出力信号と分周器の出力信号を入力し、プリピットデータ及び記録膜が変質されて形成されたデータが存在する期間を示すウインドウ信号を生成する。
論理和ゲート（ＯＲゲート）１１０７は、プリピットデータ及び記録膜が変質されて形成されたデータが存在する期間を示すウインドウ信号と加算信号１００２とを入力し、論理和信号を出力する。
当該論理和信号は、データが存在する期間のみ有効なデータを出力し、データが存在しない期間はハイレベルに固定される。
その結果、当該論理和信号の立ち下がりエッジは、位相変調されたプリピットの立ち下がりエッジに一致する。
当該論理和信号は、２個の単安定マルチバイブレータ（ＭＭＶ）１１０８、１１１０に入力される。
単安定マルチバイブレータ（ＭＭＶ）１１０８は、論理和信号の立ち下がりエッジで起動され、Ｆ／２の遅延パルス１００３を出力する。
Ｄフリップフロップ１１０９は、加算信号１００２をデータ入力端子Ｄに入力し、単安定マルチバイブレータ１１０８の出力信号をクロック入力端子ＣＬＫに入力する。Ｄフリップフロップ１１０９は出力信号１００４を出力する。
これは、プリピットデータの復号信号である。
同様に、単安定マルチバイブレータ（ＭＭＶ）１１１０は、論理和信号の立ち下がりエッジで起動され、５Ｆ／６の遅延パルス１００６を出力する。
Ｄフリップフロップ１１１１は、差分信号１００５をデータ入力端子Ｄに入力し、単安定マルチバイブレータ１１１０の出力信号をクロック入力端子ＣＬＫに入力する。Ｄフリップフロップ１１１１は出力信号１００７を出力する。
これは、記録膜を変質させて記録したデータの復号信号である。
なお、記録膜を変質させて記録したデータは単にＲＺ符号化しただけのデータである故に、後から正常な部分の一部を追加で変質させることにより、プリフォーマットデータを改竄することが容易に出来る。そこで、ＥＣＣを付加する等により、改竄を困難にする他の手段を併せて用いることが好ましい。
《実施例５》
図１８は、実施例５の光ディスクの再生方法を示すフローチャートである。
実施例５の再生方法は、任意の上述の実施例の光ディスクについて適用可能である。
図１８は、記録膜の一部を変質させて形成したデータ領域（記録膜が垂直磁気異方性を喪失している。）の再生方法を、ユーザが記録再生可能な通常のデータ領域の再生方法と異なることを特徴とする。
なお、プリピットデータについては上述の方法と同じ方法で再生するので、ここでは記載を省略する。
最初に、光ピックアップが目標トラックに向かってシーク動作する（ステップ１８０１）。
次に、光ピックアップの現在位置が目標位置であるか（光ピックアップが目標位置に到達したか）否かをチェックする（ステップ１８０２）。
ステップ１８０２において、もし光ピックアップの現在位置が目標位置でなければステップ１８０１に戻って、シーク動作を継続する。
ステップ１８０２において、もし光ピックアップの現在位置が目標位置であれば、ステップ１８０３に進む。
ステップ１８０３において、現在の位置が再生専用データ領域か（記録膜の一部を変質させて形成したデータ領域か）否かをチェックする。
ステップ１８０３において、もし現在の位置が再生専用データ領域であればステップ１８０４に進み、もし現在の位置が再生専用データ領域でなければ（通常の記録再生用のデータ領域である。）ステップ１８０５に進む。
もし現在の位置が再生専用データ領域でなければ（通常の記録再生用のデータ領域である。）、通常の再生方法によりデータを再生する。即ち、ステップ１８０５において、２個の偏光面の光成分を読み取る。
次に、各偏光面の光成分の差分信号を生成する（ステップ１８０６）。
次に、差分信号を例えばコンデンサで直流分をカットし、差分信号の最小値を一定の負の値でクランプした後、差分信号を０Ｖを閾値として２値化する（デジタル信号化する。）（ステップ１８０７）。
最後に、２値化したデータをデコードする（ステップ１８０８）。
ステップ１８０３において、もし現在の位置が再生専用データ領域であればステップ１８０４に進み、当該データ領域全体に一定のデータ（好ましくは全て０又は全て１のデータ）を記録する。実施例５は、再生動作の中で一定のデータを記録することを特徴としている。
記録膜の一部を変質させて形成したデータは、それ以外の正常な部分を磁化していて初めて再生可能である。それ以外の正常な部分を磁化していなければ、読み取ることが出来ない。
ステップ１８０４で一定のデータを記録すれば（即ち、一定の方向に記録膜を磁化すれば）、記録膜の一部を変質させて形成したデータを確実に読み取ることが出来る。
差分信号を例えばコンデンサで直流分をカットし、差分信号の最小値を一定の負の値でクランプすることにより、記録膜を磁化させた通常のデータの再生と、記録膜の一部を変質させて形成したデータの再生とを同じ２値化器を用いてすることが出来る（図２の２値化器２０８と２値化器２０９とをまとめて１個の２値化器にすることが出来る。）。
再生専用データ領域の正常な部分に通常の方法によってデータを重ね書きしていたとしても（例えば、簡易的な方法で当該データを改竄しようとする場合である。）、図３の３０３に示すように通常の方法によって書かれたデータを取り除くことが出来るが、再生時に当該データ領域全体に一定のデータを記録すれば、そのような改竄データを確実に消し去ることが出来、確実に正確なデータ読み取りを実行出来る。
本発明によれば、各ディスクごとにハイパワーレーザ光によって記録膜の特性を変質させて所定の情報を狭トラックの記録領域に高密度に記録した光ディスクを実現出来るという有利な効果が得られる。一般のディスク装置では上記記録膜の変質化が困難であるため、複製の困難な光ディスクを実現出来る。本発明によれば、記録膜の特性を変質させて所定のユニークな情報を各ディスクの狭トラックのプリフォーマット記録領域に記録することによって、ディスク１つずつを識別でき、著作権保護機能を付加することが可能な光ディスクを実現できるという有利な効果が得られる。
本発明によれば、例えばユーザが勝手に書き換えが出来ないデータとして、プリピットによるデータと反射光の偏光角度の大小に基づくデータとを１個の記録領域に混在させて有する光ディスクを実現出来るという有利な効果が得られる。
本発明によれば、例えばユーザが書き換え出来ないデータを記録する記録領域の小さな光ディスクを実現でき、ユーザが自由に記録再生可能な記録領域がより広い（より多くのデータが記録できる）光ディスクを実現できるという有利な効果が得られる。
本発明によれば、例えば隣接するプリピット領域に挟まれた領域にプリピット以外の方法により形成されたデータを記録する光ディスクを実現することが出来る。
本発明によれば、１個の領域にプリピットにより形成されたデータとプリピット以外の方法により形成されたデータとを重ねて記録することにより、一定の記録領域に多くのデータを記録することが出来る光ディスクを実現できるという有利な効果が得られる。
本発明によれば、従来の記録膜を破壊する部分を設けることによりデータを記録する方法に比べて、高密度にデータを記録することが出来る光ディスクを実現できるという有利な効果が得られる。
本発明によれば、通常のデータ記録領域と、プリフォーマットデータ記録領域を同一の制御方法で光ピックアップを制御することが出来る光ディスクを実現できるという有利な効果が得られる。
本発明によれば、上述のように記録密度の高い光ディスクを製造できる光ディスクの記録装置を実現出来るという有利な効果が得られる。
本発明を生産工程の中の例えば光ディスクのシリアル番号の書き込み工程等に適用することにより、上述のように記録密度の高い光ディスクを製造できる光ディスクの生産方法を実現出来るという有利な効果が得られる。
本発明によれば、上述の光ディスクに記録されたデータを読み取ることが出来る光ディスクの再生装置を実現出来るという有利な効果が得られる。
本発明によれば、例えばプリピット領域とプリピット以外の方法により形成されたデータが記録されたデータ領域とが重なっている光ディスクを再生した場合にも、信頼性の高い再生信号が得られるとい有利な効果が得られる。
本発明によれば、コピーガードとコピーガードの解除を適切に使い分ける光ディスクの再生装置を実現できるという有利な効果が得られる。
本発明は、垂直磁気異方性を失った部分と正常な部分とにより形成されるデータを再生するに当たり、最初に当該データが記録されている領域に一定のデータを一旦記録することにより、それぞれの偏光面の光成分の差分の絶対値に基づいたデータを容易に且つ確実に再生することが出来る光ディスクの再生装置を実現できるという有利な効果が得られる。
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
産業上の利用可能性
本発明は、種々の情報を記録する光ディスク、その記録装置、その再生装置、その再生方法及びその生産方法として有用である。
【図面の簡単な説明】
図１は、実施例１の記録再生の可能な光ディスクの構造及び各部波形を示す図である。
図２は、実施例１の光ディスクの再生装置のブロック図である。
図３は、実施例１の光ディスクの再生装置の各部波形を示す図である。
図４は、フェイズエンコーディング方式及び位相変調方式を示す図である。
図５は、実施例１の光ディスクの生産方法を示す図である。
図６は、実施例２の記録再生の可能な光ディスクの構造及び各部波形を示す図である。
図７は、実施例２の光ディスクの再生装置のブロック図である。
図８は、実施例３の記録再生の可能な光ディスクの構造及び各部波形を示す図である。
図９は、実施例３の光ディスクの再生装置のブロック図である。
図１０は、実施例４の記録再生の可能な光ディスクの構造及び各部波形を示す図である。
図１１は、実施例４の光ディスクの再生装置のブロック図である。
図１２は、実施例１の光ディスクのデータ領域の構造を示す図である。
図１３は、実施例の光ディスクのアドレス構造を示す図である。
図１４は、従来の記録再生の可能な光ディスクの構造を示す図である。
図１５は、従来の光ディスクの再生装置のブロック図である。
図１６は、従来の光ディスクの再生装置の各部波形を示す図である。
図１７は、レーザを照射した記録膜の温度と特性の変化の関係を示す図である。
図１８は、実施例５の光ディスクの再生方法を示すフローチャートである。
図面の一部又は全部は、図示を目的とした概要的表現により描かれており、必ずしもそこに示された要素の実際の相対的大きさや位置を忠実に描写しているとは限らないことは考慮願いたい。
【図１】
2002039434.tif 000003
【図２】
2002039434.tif 000004
【図３】
2002039434.tif 000005
【図４】
2002039434.tif 000006
【図５】
2002039434.tif 000007
【図６】
2002039434.tif 000008
【図７】
2002039434.tif 000009
【図８】
2002039434.tif 000010
【図９】
2002039434.tif 000011
【図１０】
2002039434.tif 000012
【図１１】
2002039434.tif 000013
【図１２】
2002039434.tif 000014
【図１３】
2002039434.tif 000015
【図１４】
2002039434.tif 000016
【図１５】
2002039434.tif 000017
【図１６】
2002039434.tif 000018
【図１７】
2002039434.tif 000019
【図１８】
2002039434.tif 000020
【国際調査報告】
2002039434.tif 000021
2002039434.tif 000022
2002039434.tif 000023
2002039434.tif 000024
2002039434.tif 000025
2002039434.tif 000026
2002039434.tif 000027
2002039434.tif 000028